(57)【要約】【課題】放射面積を変更するための操作の煩わしさを解消して、むだ毛処理の所要時間を短縮できる美容器具を提供する。【解決手段】本発明の光照射型の美容器具は、本体ケース１に設けられた投光ヘッド７の内部に１以上の発光源１１が配置されており、投光ヘッド７の外面に設けられた投光部１５を肌面に密着させた状態で発光源１１を点灯させて、投光部１５から放射された光で肌面にむだ毛処理を施すことができる。投光部１５は、放射面積が大小に異なる２以上の照射面１０１・１０２・１０３を備えている。発光源１１で発光した光を、前記照射面１０１・１０２・１０３のうち、選択された照射面１０１・１０２・１０３から放射してむだ毛処理を施す。【選択図】図１
2018201917.tif 000002
【特許請求の範囲】
【請求項１】
本体ケース（１）に設けられた投光ヘッド（７）の内部に１以上の発光源（１１）が配置されており、
投光ヘッド（７）の外面に設けられた投光部（１５）を肌面に密着させた状態で発光源（１１）を点灯させて、投光部（１５）から放射された光で肌面にむだ毛処理が施される光照射型の美容器具であって、
投光部（１５）は、放射面積が大小に異なる２以上の照射面（１０１・１０２・１０３）を備えており、
発光源（１１）で発光した光が、前記照射面（１０１・１０２・１０３）のうち、選択された照射面（１０１・１０２・１０３）から放射されてむだ毛処理が施されることを特徴とする光照射型の美容器具。
【請求項２】
投光部（１５）を構成する照射面（１０１・１０２・１０３）のうち、少なくともいずれかひとつの照射面（１０２）における光の放射面積が、他の照射面（１０１・１０３）における光の放射面積より小さく設定されている請求項１に記載の光照射型の美容器具。
【請求項３】
投光ヘッド（７）の周面に、各照射面（１０１・１０２・１０３）が配置されており、
各照射面（１０１・１０２・１０３）から放射される光の照射方向が、それぞれ異なる方向に設定されている請求項２に記載の光照射型の美容器具。
【請求項４】
投光ヘッド（７）の周面に、少なくとも２個の照射面（１０１・１０２）が設けられており、
前記照射面（１０１・１０２）が隣接配置されて、各照射面（１０１・１０２）から放射される光の照射方向が同一に設定されている請求項１に記載の光照射型の美容器具。
【請求項５】
少なくとも２個の照射面（１０１・１０２）の内部に、それぞれ発光源（１１・１１）が配置されており、
各発光源（１１・１１）が全点灯される状態と、部分点灯される状態とに切り替えて、むだ毛処理を施すことができる請求項４に記載の光照射型の美容器具。
【請求項６】
投光ヘッド（７）で往復スライド可能に案内支持されるスライド投光体（１６３）を備えており、
スライド投光体（１６３）に、いずれかひとつの照射面（１０１・１０２）が設けられ、投光ヘッド（７）に、残る照射面（１０１・１０２）が設けられており、
スライド投光体（１６３）は、いずれかひとつの照射面（１０１・１０２）が残る照射面（１０１・１０２）と面一になる収納位置と、いずれかひとつの照射面（１０１・１０２）が残る照射面（１０１・１０２）より外側方へ突出する使用位置との間で変位可能であり、
スライド投光体（１６３）が収納位置にある状態では両発光源（１１・１１）が点灯され、スライド投光体（１６３）が使用位置にある状態では、スライド投光体（１６３）に設けられた照射面（１０１・１０２）に対応する発光源（１１）のみが点灯される請求項５に記載の光照射型の美容器具。
【請求項７】
投光ヘッド（７）に、本体ケース（１）の中心軸線に対して傾斜する傾斜面（１５７）が形成され、該傾斜面（１５７）に、照射面（１０１・１０２）が隣接配置されており、
照射面（１０１・１０２）の近傍には、それぞれ肌面が接触したことを検知する人体センサ（１３１）が配置されており、
人体センサ（１３１）の検知結果に基づき、各発光源（１１・１１）が全点灯され、または、各照射面（１０１・１０２）に対応する発光源（１１）のみが点灯される請求項５に記載の光照射型の美容器具。
【請求項８】
投光ヘッド（７）の周面に配置された広域照射面（１０１）の内部に発光源（１１）が配置されており、
本体ケース（１）で変位可能に支持されて、広域照射面（１０１）の外面の一部を遮蔽ないし開放する遮蔽体（１６７）が設けられており、
遮蔽体（１６７）が広域照射面（１０１）の外面を遮蔽した状態において、遮蔽体（１６７）で遮蔽されていない広域照射面（１０１）が、広域照射面（１０１）よりも光の放射面積が小さな狭域照射面（１０２）として機能している請求項２に記載の光照射型の美容器具。
【請求項９】
投光ヘッド（７）の周面に広域照射面（１０１）が配置され、広域照射面（１０１）が配置された周面の反対側の周面に、広域照射面（１０１）よりも光の放射面積が小さな狭域照射面（１０２）が配置されており、
広域照射面（１０１）と狭域照射面（１０２）の内部に、それぞれ発光源（１１・１１）が配置され、各発光源（１１・１１）の間に、発光源（１１）に駆動電流を供給する制御基板（４）が配置されており、
各発光源（１１・１１）が、制御基板（４）から各発光源（１１・１１）へ向かって突設した光源ホルダー（１１５）で固定支持されている請求項３に記載の光照射型の美容器具。
【請求項１０】
光源ホルダー（１１５）が、導電性素材で形成されて発光源（１１）と制御基板（４）とを電気的に導通する導通体を兼ねている請求項９に記載の光照射型の美容器具。
【請求項１１】
本体ケース（１）の内部に、発光源（１１・１１）を冷却する送風ユニット（１０６）が配置されており、
送風ユニット（１０６）が送風ファン（１０７）およびファンモーター（１０９）を備えており、
送風ファン（１０７）およびファンモーター（１０９）は、制御基板（４）に形成された表裏貫通状の装着開口（４ｂ）に装着されて、送風ファン（１０７）で送給される冷却風が、制御基板（４）の表裏面に沿って各発光源（１１・１１）に送給される請求項９または１０に記載の光照射型の美容器具。
【請求項１２】
本体ケース（１）の内部に、発光源（１１・１１）に駆動電流を供給するコンデンサー（１４）が配置されており、
制御基板（４）が本体ケース（１）の内部に、投光ヘッド（７）を含む本体ケース（１）の内部空間を２分する状態で配置されており、
コンデンサー（１４）が、制御基板（４）に形成された表裏貫通状の装着開口（４ａ）に装着されて、制御基板（４）の表裏に露出されている請求項９から１１のいずれかひとつに記載の光照射型の美容器具。
【請求項１３】
発光源（１１）が直線管状に形成されて、該発光源（１１）の中心軸線が送風ユニット（１０６）の送風方向と直交する向きに配置されており、
送風ユニット（１０６）と発光源（１１・１１）との間に、送風ユニット（１０６）から送給された冷却風を各発光源（１１・１１）の一側端へ向かって変向案内する変向構造（１２１）が設けられており、
各発光源（１１・１１）の一側端に達した冷却風を、各発光源（１１・１１）の他側端へ向かって流動させて、各発光源（１１・１１）を冷却している請求項１１または１２に記載の光照射型の美容器具。
【請求項１４】
広域照射面（１０１）および／または狭域照射面（１０２）の近傍に、肌面に向かって風を吹き出す送風口（１２８）が設けられており、
送風ユニット（１０６）で送給され各発光源（１１・１１）に至る前の冷却風の一部が、送風口（１２８）から吹き出される請求項１１から１３のいずれかひとつに記載の光照射型の美容器具。
【請求項１５】
照射面（１０１・１０２・１０３）には、それぞれ肌面が接触したことを検知する人体センサ（１３１）が配置されており、
人体センサ（１３１）の検知結果に基づき、肌面が検知された照射面（１０１・１０２・１０３）から自動的に発光源（１１）で発光した光が放射されるように構成されており、
人体センサ（１３１）による肌面の検知後から発光源（１１）が点灯されるまでの間に、本体ケース（１）に設けた報知体（１４０）を駆動する請求項１から１４のいずれかひとつに記載の光照射型の美容器具。
【請求項１６】
グリップを兼ねる本体ケース（１）に、固定刃（１４４）と可動刃（１４５）を含むトリマーユニット（１４３）が設けられている請求項１から１５のいずれかひとつに記載の光照射型の美容器具。
【請求項１７】
本体ケース（１）の一側に投光ヘッド（７）が配置され、他側にグリップ部（８）が配置されており、
グリップ部（８）の端部にトリマーユニット（１４３）が配置されている請求項１６に記載の光照射型の美容器具。
【請求項１８】
トリマーユニット（１４３）は、固定刃（１４４）および可動刃（１４５）が本体ケース（１）から突出する使用姿勢と、固定刃（１４４）および可動刃（１４５）が本体ケース（１）に設けた格納空間（１８１）に格納される格納姿勢とに姿勢変更可能に構成されている請求項１６または１７に記載の光照射型の美容器具。
【請求項１９】
トリマーユニット（１４３）は、可動刃（１４５）を駆動するトリマーモーター（１４６）を備えており、
トリマーユニット（１４３）が使用姿勢に姿勢変更された状態において、トリマーモーター（１４６）に駆動電流が供給され、もしくは、トリマーユニット（１４３）が使用姿勢に姿勢変更され、かつ駆動スイッチ（１８０）を手動でオン操作したとき、トリマーモーター（１４６）に駆動電流が供給される請求項１８に記載の光照射型の美容器具。
【請求項２０】
トリマーユニット（１４３）が本体ケース（１）で併使用姿勢と、単独使用姿勢との間で姿勢変更可能に支持されており、
併使用姿勢におけるトリマーユニット（１４３）は、固定刃（１４４）および可動刃（１４５）の刃先が投光部（１５）の照射面（１０１・１０２・１０３）のいずれかひとつと隣接していて、照射面（１０１・１０２・１０３）のいずれかひとつによるむだ毛処理と、トリマーユニット（１４３）によるむだ毛トリミングを同時に行うことができ、
単独使用姿勢におけるトリマーユニット（１４３）は単独でむだ毛トリミングを行うことができる請求項１６に記載の光照射型の美容器具。
【発明の詳細な説明】
【技術分野】
【０００１】
本発明は、例えば肌面に光を照射してむだ毛処理を行う光照射型の美容器具に関する。
【背景技術】
【０００２】
この種の美容器具は、例えば特許文献１に公知である。係る特許文献１に記載の光照射型美容器具は、収容筐体、美容プローブ、収容筐体と美容プローブを接続する保護ケーブル、ボディ用アタッチメント、フェイス用アタッチメントなどで構成されている。ボディ用アタッチメントは、美容プローブの先端に設けられたアタッチメント装着部に着脱自在に装着される。また、フェイス用アタッチメントは、美容プローブに装着したボディ用アタッチメントに着脱自在に装着される。ボディ用アタッチメントには、横長長方形状の開口が設けられており、開口内部の空間にキセノン管およびリフレクターが配置されている。フェイス用アタッチメントには、先の横長長方形状の開口よりも開口面積が小さな円形の開口が貫通状に設けられている。美容プローブには、アタッチメント装着部に隣接して、振動モーターで往復駆動される剃毛刃を備える剃毛部が揺動出退可能に設けられている。
【先行技術文献】
【特許文献】
【０００３】
【特許文献１】特開２０１５−７３７４４号公報
【発明の概要】
【発明が解決しようとする課題】
【０００４】
特許文献１の美容器具においては、美容プローブにボディ用アタッチメントを装着し、同アタッチメントの開口形成面を肌面に密着させた状態で美容プローブ背面部のスイッチをオン操作するとキセノン管が発光して、横長長方形状の開口に正対する肌面にむだ毛処理用のパルス光が照射される。また、フェイス用アタッチメントを装着した状態においては、円形の開口に正対する肌面にむだ毛処理用のパルス光が照射される。このように、特許文献１の美容器具では、ボディ用アタッチメントにフェイス用アタッチメントを着脱することにより、パルス光の放射面積を変更することができる。しかし、むだ毛処理を行う間、処理部位に応じてフェイス用アタッチメントを着脱する必要があるため着脱操作が煩わしく、むだ毛処理の所要時間が長くなってしまう。分離したフェイス用アタッチメントを紛失するおそれもある。また、特許文献１の美容器具では、フェイス用アタッチメントの着脱操作が煩わしい分、処理部位に対して適正ではないアタッチメントでむだ毛処理が行われる場合がある。この場合には、開口と肌面との密着が不完全となりやすく、周囲に漏れたパルス光によって眩しさを感じユーザーは不快な思いをする。
【０００５】
本発明の目的は、放射面積を変更するための操作の煩わしさを解消して、むだ毛処理の所要時間を短縮できる美容器具を提供することにある。
【課題を解決するための手段】
【０００６】
本発明の美容器具は、本体ケース１に設けられた投光ヘッド７の内部に１以上の発光源１１が配置されており、投光ヘッド７の外面に設けられた投光部１５を肌面に密着させた状態で発光源１１を点灯させて、投光部１５から放射された光で肌面にむだ毛処理を施す光照射型の美容器具を対象とする。投光部１５は、放射面積が大小に異なる２以上の照射面１０１・１０２・１０３を備えている。そして、発光源１１で発光した光が、前記照射面１０１・１０２・１０３のうち、選択された照射面１０１・１０２・１０３から放射されてむだ毛処理が施されることを特徴とする。
【０００７】
投光部１５を構成する照射面１０１・１０２・１０３のうち、少なくともいずれかひとつの照射面１０２における光の放射面積は、他の照射面１０１・１０３における光の放射面積より小さく設定する。
【０００８】
投光ヘッド７の周面に各照射面１０１・１０２・１０３を配置し、各照射面１０１・１０２・１０３から放射される光の照射方向を、それぞれ異なる方向に設定する。
【０００９】
投光ヘッド７の周面に少なくとも２個の照射面１０１・１０２を設ける。前記照射面１０１・１０２を隣接配置して、各照射面１０１・１０２から放射される光の照射方向を同一に設定する。
【００１０】
少なくとも２個の照射面１０１・１０２の内部に、それぞれ発光源１１・１１を配置する。各発光源１１・１１が全点灯される状態と、部分点灯される状態とに切り替えて、むだ毛処理を施すことができるようにする。
【００１１】
投光ヘッド７で往復スライド可能に案内支持されるスライド投光体１６３を備える。スライド投光体１６３に、いずれかひとつの照射面１０１・１０２を設け、投光ヘッド７に、残る照射面１０１・１０２を設ける。スライド投光体１６３は、いずれかひとつの照射面１０１・１０２が残る照射面１０１・１０２と面一になる収納位置と、いずれかひとつの照射面１０１・１０２が残る照射面１０１・１０２より外側方へ突出する使用位置との間で変位可能である。スライド投光体１６３が収納位置にある状態では両発光源１１・１１を点灯し、スライド投光体１６３が使用位置にある状態では、スライド投光体１６３に設けた照射面１０１・１０２に対応する発光源１１のみを点灯する。
【００１２】
投光ヘッド７に、本体ケース１の中心軸線に対して傾斜する傾斜面１５７を形成し、該傾斜面１５７に、照射面１０１・１０２を隣接配置する。照射面１０１・１０２の近傍には、それぞれ肌面が接触したことを検知する人体センサ１３１を配置する。人体センサ１３１の検知結果に基づき、各発光源１１・１１を全点灯し、または、各照射面１０１・１０２に対応する発光源１１のみを点灯する。
【００１３】
投光ヘッド７の周面に配置された広域照射面１０１の内部に発光源１１を配置する。本体ケース１で変位可能に支持されて、広域照射面１０１の外面の一部を遮蔽ないし開放する遮蔽体１６７を設ける。遮蔽体１６７が広域照射面１０１の外面を遮蔽した状態において、遮蔽体１６７で遮蔽されていない広域照射面１０１を、広域照射面１０１よりも光の放射面積が小さな狭域照射面１０２として機能させる。
【００１４】
投光ヘッド７の周面に広域照射面１０１を配置し、広域照射面１０１が配置された周面の反対側の周面に、広域照射面１０１よりも光の放射面積が小さな狭域照射面１０２を配置する。広域照射面１０１と狭域照射面１０２の内部に、それぞれ発光源１１・１１を配置し、各発光源１１・１１の間に、発光源１１に駆動電流を供給する制御基板４を配置する。各発光源１１・１１は、制御基板４から各発光源１１・１１へ向かって突設した光源ホルダー１１５で固定支持する。
【００１５】
光源ホルダー１１５は、導電性素材で形成して発光源１１と制御基板４とを電気的に導通する導通体を兼ねている。
【００１６】
本体ケース１の内部に、発光源１１・１１を冷却する送風ユニット１０６を配置する。送風ユニット１０６は送風ファン１０７およびファンモーター１０９を備えている。送風ファン１０７およびファンモーター１０９は、制御基板４に形成した表裏貫通状の装着開口４ｂに装着して、送風ファン１０７で送給される冷却風を、制御基板４の表裏面に沿って各発光源１１・１１に送給する。なお、送風ユニット１０６の装着開口４ｂへの装着は、同ユニット１０６の支持構造が基板に設けてあってもよいし、本体ケース１に設けてあってもよい。
【００１７】
本体ケース１の内部に、発光源１１・１１に駆動電流を供給するコンデンサー１４を配置する。制御基板４は本体ケース１の内部に、投光ヘッド７を含む本体ケース１の内部空間を２分する状態で配置する。コンデンサー１４は、制御基板４に形成した表裏貫通状の装着開口４ａに装着して、制御基板４の表裏に露出させる。なお、コンデンサー１４の装着開口４ａへの装着は、コンデンサー１４の支持構造が基板に設けてあってもよいし、本体ケース１に設けてあってもよい。
【００１８】
発光源１１は直線管状に形成して、該発光源１１の中心軸線が送風ユニット１０６の送風方向と直交する向きに配置する。送風ユニット１０６と発光源１１・１１との間に、送風ユニット１０６から送給された冷却風を各発光源１１・１１の一側端へ向かって変向案内する変向構造１２１を設ける。各発光源１１・１１の一側端に達した冷却風を、各発光源１１・１１の他側端へ向かって流動させて、各発光源１１・１１を冷却する。
【００１９】
広域照射面１０１および／または狭域照射面１０２の近傍に、肌面に向かって風を吹き出す送風口１２８を設ける。送風ユニット１０６で送給され各発光源１１・１１に至る前の冷却風の一部を、送風口１２８から吹き出す。
【００２０】
照射面１０１・１０２・１０３には、それぞれ肌面が接触したことを検知する人体センサ１３１を配置する。人体センサ１３１の検知結果に基づき、肌面が検知された照射面１０１・１０２・１０３から自動的に発光源１１で発光した光が放射されるように構成する。人体センサ１３１による肌面の検知後から発光源１１が点灯されるまでの間に、本体ケース１に設けた報知体１４０を駆動する。
【００２１】
グリップを兼ねる本体ケース１に、固定刃１４４と可動刃１４５を含むトリマーユニット１４３を設ける。
【００２２】
本体ケース１の一側に投光ヘッド７を配置し、他側にグリップ部８を配置する。グリップ部８の端部にトリマーユニット１４３を配置する。
【００２３】
トリマーユニット１４３は、固定刃１４４および可動刃１４５が本体ケース１から突出する使用姿勢と、固定刃１４４および可動刃１４５が本体ケース１に設けた格納空間１８１に格納される格納姿勢とに姿勢変更可能に構成することができる。
【００２４】
トリマーユニット１４３は、可動刃１４５を駆動するトリマーモーター１４６を備えている。トリマーユニット１４３が使用姿勢に姿勢変更された状態において、トリマーモーター１４６に駆動電流を供給し、もしくは、トリマーユニット１４３が使用姿勢に姿勢変更され、かつ駆動スイッチ１８０を手動でオン操作したとき、トリマーモーター１４６に駆動電流を供給する。
【００２５】
トリマーユニット１４３は本体ケース１で併使用姿勢と、単独使用姿勢との間で姿勢変更可能に支持する。併使用姿勢におけるトリマーユニット１４３は、固定刃１４４および可動刃１４５の刃先が投光部１５の照射面１０１・１０２・１０３のいずれかひとつと隣接していて、照射面１０１・１０２・１０３のいずれかひとつによるむだ毛処理と、トリマーユニット１４３によるむだ毛トリミングを同時に行うことができる。また、単独使用姿勢におけるトリマーユニット１４３は、単独でむだ毛トリミングを行うことができる。
【発明の効果】
【００２６】
本発明の美容器具においては、投光部１５に放射面積が大小に異なる２以上の照射面１０１・１０２・１０３を設け、発光源１１で発光した光を、前記照射面１０１・１０２・１０３のうち、選択された照射面１０１・１０２・１０３から放射してむだ毛処理を施すことができるようにした。こうした美容器具によれば、従来の美容器具のようにアタッチメントを着脱することなく、処理部位に対応した放射面積の照射面１０１・１０２・１０３を選択し、これを肌面に密着させて的確にむだ毛処理を施すことができる。従って、光の放射面積を変更するための操作の煩わしさを解消でき、むだ毛処理の所要時間を短縮できる。また、分離したアタッチメントを紛失することもない。
【００２７】
投光部１５を構成する照射面１０１・１０２・１０３のうち、少なくともいずれかひとつの照射面１０２における光の放射面積を、他の照射面１０１・１０３における光の放射面積より小さく設定すると、放射面積の小さい照射面１０２を使用してピンポイントでむだ毛処理を行うことができる。例えば口唇まわりの顔肌においては、口唇を避けてむだ毛処理を行う必要があるが、放射面積の小さい照射面１０２を使用することで容易に口唇を避けてむだ毛処理を行うことができる。また、頬や額などの広範な処理部位に対しては、他の照射面１０１・１０３を使用することで、少ない照射回数でむだ毛処理を完了させることができるので、むだ毛処理の所要時間をより短縮できる。
【００２８】
投光ヘッド７の周面に各照射面１０１・１０２・１０３を配置し、各照射面１０１・１０２・１０３から放射される光の照射方向をそれぞれ異なる方向に設定すると、投光ヘッド７を回転させることで照射面１０１・１０２・１０３が切り替えられるので、照射面１０１・１０２・１０３の選択動作を明確にして美容器具の使用感を向上できる。また、簡単な構造で各照射面１０１・１０２・１０３のみを的確に肌面に密着させることができるので、光漏れが生じることなくむだ毛処理を行える。
【００２９】
投光ヘッド７の周面に設けた少なくとも２個の照射面１０１・１０２を隣接配置して、各照射面１０１・１０２から放射される光の照射方向を同一に設定した。こうした美容器具によれば、投光ヘッド７の姿勢を大きく変化させることなく、両照射面１０１・１０２、あるいはそれぞれの照射面１０１・１０２を的確に肌面に密着させることができるので、美容器具の使い勝手を向上できる。
【００３０】
少なくとも２個の照射面１０１・１０２の内部にそれぞれ発光源１１・１１を配置し、各発光源１１・１１が全点灯される状態と、部分点灯される状態とに切り替えて、むだ毛処理を施すことができるようにした。こうした美容器具によれば、各発光源１１・１１を全点灯することで、両照射面１０１・１０２を合わせた放射面積に光を放射できる。また、各発光源１１・１１を部分点灯することで、各照射面１０１・１０２の放射面積にそれぞれ光を放射できる。従って、簡単な構成で美容器具を広い放射面積に光を放射する形態と、狭い放射面積に光を放射する形態とに変更することができ、美容器具の使い勝手をより向上できる。
【００３１】
投光ヘッド７で収納位置と使用位置との間で往復スライド可能に案内支持されるスライド投光体１６３に、いずれかひとつの照射面１０１・１０２を設け、投光ヘッド７に、残る照射面１０１・１０２を設けた。また、スライド投光体１６３が収納位置にある状態では両発光源１１・１１を点灯し、スライド投光体１６３が外側方へ突出する使用位置にある状態では、スライド投光体１６３に設けた照射面１０１・１０２に対応する発光源１１のみを点灯するようにした。こうした美容器具によれば、スライド投光体１６３をスライド操作することで自動的に発光源１１・１１の点灯状態が切り替えられるので、ユーザーの利便性を向上できる。また、スライド投光体１６３の使用位置においては、スライド投光体１６３に設けた照射面１０１・１０２は、投光ヘッド７に設けた照射面１０１・１０２より外側方へ突出しているので、投光ヘッド７が邪魔になることなく、処理部位にスライド投光体１６３に設けた照射面１０１・１０２だけを的確に密着させることができる。
【００３２】
本体ケース１の中心軸線に対して傾斜する投光ヘッド７の傾斜面１５７に、照射面１０１・１０２を隣接配置した。このように、傾斜面１５７に照射面１０１・１０２を隣接配置した美容器具によれば、本体ケース１および同ケース１を持つ手が邪魔になって、処理部位が目視し難くなるのを抑制できるので、肌面の処理部位に各照射面１０１・１０２を的確に密着させることができる。また、いずれの照射面１０１・１０２を肌面に密着させる場合でも、本体ケース１の姿勢が同じであるので、本体ケース１の姿勢を大きく変更する必要がない分、ユーザーによる美容器具の操作を簡便化できる。加えて、照射面１０１・１０２の近傍に、それぞれ肌面が接触したことを検知する人体センサ１３１を配置して、人体センサ１３１の検知結果に基づき、各発光源１１・１１を全点灯し、または、各照射面１０１・１０２に対応する発光源１１のみを点灯させるようにした。こうした美容器具によれば、肌面に密着していない照射面１０１・１０２の発光源１１・１１は点灯されることがなく、光によってユーザーが眩しさを感じ不快な思いをすることを回避できる。また、使用する照射面１０１・１０２を肌面に密着させるだけで、選択した照射面１０１・１０２の発光源１１・１１が点灯されるので、ユーザーによる美容器具の操作をより簡便化できる。
【００３３】
投光ヘッド７の周面に配置された広域照射面１０１の内部に発光源１１を配置した。また、本体ケース１で変位可能に支持されて、広域照射面１０１の外面の一部を遮蔽ないし開放する遮蔽体１６７を設けて、遮蔽体１６７が広域照射面１０１の外面を遮蔽した状態において、遮蔽体１６７で遮蔽されていない広域照射面１０１を、広域照射面１０１よりも光の放射面積が小さな狭域照射面１０２として機能させるようにした。こうした美容器具によれば、１個の発光源１１で大きな放射面積と小さな放射面積に光を照射することができるので、２以上の発光源１１・１１を設ける場合に比べて、美容器具の構造を簡素化できる。また、遮蔽体１６７を変位させるだけの簡単な操作で、広域照射面１０１と狭域照射面１０２とを切り替えることができ、ユーザーの利便性を向上できる。
【００３４】
広域照射面１０１および狭域照射面１０２の内部の発光源１１・１１の間に配置した制御基板４に突設した光源ホルダー１１５で固定支持した。これによれば、発光源１１に駆動電力を供給する制御基板４を利用して、同基板４に突設した光源ホルダー１１５で発光源１１を固定支持できるので、投光ヘッド７や照射ケース１０などに発光源１１の支持構造を設ける場合に比べて、美容器具の構造を簡素化できる。
【００３５】
光源ホルダー１１５が発光源１１と制御基板４とを導通する導通体を兼ねていると、別途リード線などの導通体を設ける必要がない分、美容器具の構造をより簡素化できる。さらに、発光源１１を光源ホルダー１１５で固定支持するだけで、制御基板４と発光源１１との間の電気的導通を図ることができ、美容器具の組付けの手間を省略できる。
【００３６】
送風ユニット１０６を構成する送風ファン１０７およびファンモーター１０９を、制御基板４に形成した表裏貫通状の装着開口４ｂに装着して、送風ファン１０７で送給される冷却風を、制御基板４の表裏面に沿って各発光源１１・１１に送給するようにした。これによれば、制御基板４を各発光源１１・１１に冷却風を案内する導風板として利用できるので、各発光源１１・１１に的確に冷却風を案内できる。また、別途導風板を設ける必要がないので美容器具の構造をさらに簡素化できる。さらに、送風ファン１０７、ファンモーター１０９などを本体ケース１の中央付近に配置することができるので、本体ケース１の中央から大きく偏寄した位置にこれら部品１０７・１０９を配置する場合に比べて、本体ケース１内に大きなデッドスペースが形成されるのを回避して、コンパクトな構造の本体ケース１とすることができる。
【００３７】
本体ケース１の内部に、発光源１１・１１に駆動電流を供給するコンデンサー１４を配置した。また、制御基板４が本体ケース１の内部に、投光ヘッド７を含む本体ケース１の内部空間を２分する状態で配置した。そして、コンデンサー１４を、制御基板４に形成した表裏貫通状の装着開口４ａに装着して、制御基板４の表裏に露出させるようにした。これによれば、コンデンサー１４を本体ケース１内部の中央付近にバランスよく配置することができる。また、制御基板４およびコンデンサー１４が本体ケース１の中央に集約して配置されるので、本体ケース１をコンパクトに構成することができる。
【００３８】
発光源１１を直線管状に形成して、該発光源１１の中心軸線を送風ユニット１０６の送風方向と直交する向きに配置した。また、送風ユニット１０６と発光源１１・１１との間に変向構造１２１を設けて、各発光源１１・１１の一側端に達した冷却風を、各発光源１１・１１の他側端へ向かって流動させて、各発光源１１・１１を冷却するようにした。このように冷却風を発光源１１の一側端から他側端へ向かって流動させると、発光源１１と冷却風との接触機会を多くして発光源１１の全体を効率よく冷却できる。
【００３９】
広域照射面１０１および／または狭域照射面１０２の近傍の送風口１２８から、送風ユニット１０６で送給され各発光源１１・１１に至る前の冷却風の一部を吹き出すと、光の照射によって温められた肌面を冷却して、むだ毛処理時の熱感を低減することができ、快適にむだ毛処理を行うことができる。また、別途肌面冷却専用の送風構造を設ける必要がない分、美容器具のコストアップを抑制できる。
【００４０】
照射面１０１・１０２・１０３にそれぞれ配置した人体センサ１３１の検知結果に基づき、肌面が検知された照射面１０１・１０２・１０３から自動的に発光源１１で発光した光が放射されるように構成した。こうした美容器具によれば、ユーザーはいずれかの照射面１０１・１０２・１０３を肌面に密着させるだけで、密着させた照射面１０１・１０２・１０３から自動的に光が放射されるので、美容器具の使い勝手を向上できる。加えて、人体センサ１３１による肌面の検知後から発光源１１が点灯されるまでの間に、本体ケース１に設けた報知体１４０を駆動すると、ユーザーは発光に備えて心の準備をし、あるいは発光領域から目をそらすなどの予防措置をとることができる。従って、ユーザーが突然の発光で驚かされたり、光によって眩しさを感じて不快な思いをするのを防止できる。
【００４１】
グリップを兼ねる本体ケース１に、固定刃１４４と可動刃１４５を含むトリマーユニット１４３を設けると、１個の美容器具で投光部１５から照射される光によるむだ毛処理に加えて、トリマーユニット１４３でのむだ毛トリミングを行うことができる。従って、別途むだ毛トリミングを行うための器具を容易する必要がなく、また、器具を持ち替える手間もないので、むだ毛トリミングと光照射の一連のむだ毛処理を効率的に行うことができる。
【００４２】
本体ケース１の一側に投光ヘッド７を配置し、他側にグリップ部８を配置して、グリップ部８の端部にトリマーユニット１４３を配置すると、光照射によるむだ毛処理とむだ毛トリミングとの美容器具の姿勢を明確に切り替えて、一方の処理動作に他方の投光ヘッド７またはトリマーユニット１４３が邪魔になることがなく、的確にそれぞれの処理動作を行うことができる。
【００４３】
トリマーユニット１４３は、固定刃１４４および可動刃１４５が本体ケース１から突出する使用姿勢と、固定刃１４４および可動刃１４５が本体ケース１に設けた格納空間１８１に格納される格納姿勢とに姿勢変更可能に構成した。こうしたトリマーユニット１４３によれば、格納姿勢においては両刃１４４・１４５が格納空間１８１に格納されるので、誤って両刃１４４・１４５で肌面が傷つけられるのを解消して、安全性に優れた美容器具とすることができる。また、使用姿勢においては、両刃１４４・１４５が本体ケース１から突出するので、刃先を肌面にあてがう際、本体ケース１が邪魔になることなく的確にトリマーユニット１４３でむだ毛トリミングを行える。
【００４４】
トリマーユニット１４３を使用姿勢に姿勢変更した状態において、トリマーユニット１４３が備えるトリマーモーター１４６に駆動電流を供給し、もしくは、トリマーユニット１４３が使用姿勢に姿勢変更され、かつ駆動スイッチ１８０を手動でオン操作したとき、トリマーモーター１４６に駆動電流を供給するようにした。こうしたトリマーユニット１４３によれば、前者の場合には、トリマーユニット１４３を使用姿勢に姿勢変更するだけでトリマーモーター１４６が駆動され、また、格納姿勢に姿勢変更するだけでトリマーモーター１４６が停止されるので、ユーザーによる駆動スイッチ１８０のオンオフ操作を排除できる。後者の場合には、駆動スイッチ１８０のオンオフ操作で、トリマーユニット１４３を駆動または停止できるので、むだ毛トリミングと光照射によるむだ毛処理とを交互に行うような使用形態の場合に、トリマーモーター１４６で電力が無駄に消費されるのを回避できる。また、トリマーユニット１４３を使用姿勢に姿勢変更しない限り、トリマーユニット１４３が駆動されることがないので、誤って両刃１４４・１４５で肌面が傷つけられるのを解消して、より安全性に優れた美容器具とすることができる。
【００４５】
トリマーユニット１４３が本体ケース１で併使用姿勢と、単独使用姿勢との間で姿勢変更可能に支持した。併使用姿勢におけるトリマーユニット１４３は、照射面１０１・１０２・１０３のいずれかひとつによるむだ毛処理と、照射面１０１・１０２・１０３のいずれかひとつによるむだ毛処理と、トリマーユニット１４３によるむだ毛トリミングを同時に行うことができるようにした。また、単独使用姿勢におけるトリマーユニット１４３は、単独でむだ毛処理を行えるようにした。こうした美容器具によれば、トリマーユニット１４３が併使用姿勢の状態においては、美容器具の姿勢を変更することなくむだ毛トリミングと光照射によるむだ毛処理を行うことができるので、ユーザーの使い勝手を向上できる。また、単独使用姿勢のトリマーユニット１４３は、本体ケース１が邪魔になることなくむだ毛トリミングを行うことができる。
【図面の簡単な説明】
【００４６】
【図１】本発明の実施例１に係る美容器具の縦断側面図である。
【図２】図１におけるＡ−Ａ線断面図である。
【図３】図１におけるＢ−Ｂ線断面図である。
【図４】美容器具の制御系のブロック図である。
【図５】各部の動作タイミングを示すタイムチャートである。
【図６】本発明の実施例２に係る美容器具の要部の縦断側面図である。
【図７】本発明の実施例３に係る美容器具の投光ヘッドの概略横断平面図である。
【図８】本発明の実施例４に係る美容器具の投光ヘッドの概略横断平面図である。
【図９】本発明の実施例５に係る美容器具の投光ヘッドの概略縦断側面図である。
【図１０】本発明の実施例６に係る美容器具の投光ヘッドの概略横断平面図である。
【図１１】本発明の実施例７に係る美容器具の投光ヘッドの概略横断平面図である。
【図１２】本発明の実施例８に係る美容器具の投光ヘッドの概略横断平面図である。
【図１３】本発明の実施例９に係る美容器具の投光ヘッドの概略横断平面図である。
【図１４】本発明の実施例１０に係る美容器具の投光ヘッドの側面図である。
【図１５】図１４におけるＣ−Ｃ線断面図である。
【図１６】本発明の実施例１１に係る美容器具のトリマーユニットの縦断側面図である。
【図１７】本発明の実施例１２に係る美容器具のトリマーユニットの概略側面図である。
【図１８】本発明の実施例１３に係る美容器具のトリマーユニットの概略側面図である。
【図１９】本発明の実施例１４に係る美容器具の概略縦断側面図である。
【図２０】本発明の実施例１５に係る美容器具の概略縦断側面図である。
【図２１】本発明の実施例１６に係る美容器具の概略縦断側面図である。
【図２２】本発明の実施例１７に係る美容器具の概略縦断側面図である。
【発明を実施するための形態】
【００４７】
（実施例１）  図１から図５に、本発明に係る光照射型の美容器具の実施例１を示す。本実施例における前後、左右、上下とは、図１および図２に示す交差矢印と、各矢印の近傍に表記した前後、左右、上下の表示に従う。図１に示すように光照射型の美容器具は、グリップを兼ねる本体ケース１の上端（一端）に前後一対の照射ヘッド２を備えており、本体ケース１内部の前後中央位置に制御基板４が設けられている。本体ケース１は前後に分割形成された前ケース１ａと後ケース１ｂとで中空ケース状に構成されており、前ケース１ａの前面の下端寄りには、プッシュ式の電源スイッチ５が設けられている。本体ケース１の上端寄りが、一対の照射ヘッド２を支持する投光ヘッド７を構成し、投光ヘッド７を除く本体ケース１の下半側（他側）がグリップ部８を構成している。投光ヘッド７は四角箱状に形成され（図２参照）、グリップ部８は丸筒状に形成されている（図３参照）。先の制御基板４は、前後のケース１ａ・１ｂの継目部分で挟持保持されており、投光ヘッド７を含む本体ケース１の内部空間は制御基板４で２分されている。図１において符号１００は、電力供給用ＡＣアダプタのプラグである。
【００４８】
美容器具は、肌面にパルス光を照射してむだ毛処理を行うことができる光照射モードと、後述するトリマーユニット１４３が駆動されて、むだ毛トリミングを行うことができるトリマーモードとを備えている。美容器具の電源オフ状態から、電源スイッチ５をオン操作すると、光照射モードに切り替えることができ、光照射モードの状態で電源スイッチ５をさらにオン操作すると、トリマーモードに切り替えることができる。トリマーモードの状態で電源スイッチ５をオン操作すると、美容器具の電源をオフすることができる。
【００４９】
一対の照射ヘッド２は、投光ヘッド７の前面と後面に配置されており、各照射ヘッド２は、断面がＶ字状の照射ケース１０の内部に発光源１１とリフレクター１２を収容し、照射ケース１０のＶ字開口部分を透明な防護カバー１３で覆って構成されている。防護カバー１３は左右に長い長方形状に形成されている。図２に示すように発光源１１は直線管状のキセノンフラッシュランプからなり、リフレクター１２は発光源１１から放射された高輝度の光を集光し反射させて、防護カバー１３から肌面に向かって放射する。発光源１１は、その中心軸線が左右方向に沿うように、本体ケース１の中心軸線（図１において上下方向）と直交する状態で配置されている。発光源１１の左右端面から一対の電極１１ａが突設されており、各電極１１ａは、照射ケース１０の左右面に開口された引出開口１０ａ・１０ａからそれぞれ照射ケース１０の外部へと引き出されている。
【００５０】
制御基板４には、美容器具全体を制御する制御部、高電圧の電流を調整する電圧調整回路、高電圧の電流を充電する円柱状のコンデンサー１４などが設けられており、コンデンサー１４に充電された電流を発光源１１に供給することにより発光源１１が点灯されて、発光時間の短いパルス光が放射される。防護カバー１３のそれぞれは、投光ヘッド７の前面および後面と面一になっており、防護カバー１３の表面が投光部１５となる。図１および図２に示すように後側の照射ヘッド２は、前側の照射ヘッド２に比べて上下寸法および左右寸法が小さく設定されており、前側の防護カバー１３の表面が広域照射面（照射面）１０１を構成し、後側の防護カバー１３の表面が広域照射面１０１よりも光の放射面積が小さな狭域照射面（照射面）１０２を構成する。このように本実施例においては、投光部１５は放射面積が大小に異なる２個の照射面１０１・１０２を備えている。
【００５１】
一対の照射ヘッド２・２の内部に、それぞれ専用の発光源１１・１１が配置されている。前記照射面１０１・１０２に対応する発光源１１・１１を点灯させることにより、照射面１０１・１０２のいずれかひとつのみから肌面に光を放射してむだ毛処理を施すことができる。前側の照射ヘッド２の発光源１１を点灯させると、広域照射面１０１から前方に向かって光が照射され、後側の照射ヘッド２の発光源１１を点灯させると、狭域照射面１０２から後方に向かって光が照射される。なお、防護カバー１３は、紫外線領域の電磁波の透過を阻止する素材で形成する、あるいは防護カバー１３の基材表面に紫外線領域の電磁波の透過を阻止するコーティングを施すことが望ましい。これは、発光源１１の光に含まれる肌面に有害な紫外線領域の電磁波を遮断して、肌面を保護するためである。本実施例においては、各照射ヘッド２の内部に１個の発光源１１を配置したが、各照射ヘッド２の内部に複数個の発光源１１を配置してもよい。複数の発光源１１を配置し同時に点灯させることで、各照射面１０１・１０２から１度により多量の光を放射することができる光照射型の美容器具とすることができる。
【００５２】
図１に示すように制御基板４の下側寄りには、コンデンサー１４を装着するための前後（表裏）貫通状の装着開口４ａが形成されている。コンデンサー１４は装着開口４ａの周縁部における制御基板４で支持されて、装着開口４ａに装着されている。この装着開口４ａにコンデンサー１４を装着することで、コンデンサー１４は、制御基板４の前後（表裏）に露出しており、本体ケース１の前後および左右の中央（本体ケース１の中心軸線に直交する平面上における本体ケース１の中央）に位置している。コンデンサー１４への高電圧の電流の充電、およびコンデンサー１４に充電された電流の発光源１１への供給は、制御基板４で制御されている（図４参照）。本実施例では、コンデンサー１４は、制御基板４の前後に突出する部分の寸法が前後で同一になるように配置したが、コンデンサー１４は、制御基板４の前後に突出（露出）していればよく、前後および左右の中央から偏寄した位置に配置されていてもよい。また、コンデンサー１４は、本体ケース１に設けた支持リブなどの支持部で支持することもできる。
【００５３】
上記のように、コンデンサー１４を制御基板４の前後に露出させると、コンデンサー１４を本体ケース１内部の前後左右の中央付近にバランスよく配置することができる。また、制御基板４およびコンデンサー１４が本体ケース１の中央に集約して配置されるので、本体ケース１をコンパクトに構成することができる。
【００５４】
キセノンフラッシュランプからなる発光源１１は高輝度の光を放射することができるが、その分発光と同時に発生する熱量も大きい。また、充放電を繰り返すコンデンサー１４も発熱する。そのため、発光源１１およびコンデンサー１４が過熱状態に陥らないよう両者１１・１４を冷却する必要がある。本実施例では発光源１１およびコンデンサー１４を冷却するため、発光源１１とコンデンサー１４との間の本体ケース１内部に送風ユニット１０６を配置した。送風ユニット１０６は、発光源１１に向かう冷却風を生起する上側の第１送風ファン（送風ファン）１０７と、コンデンサー１４に向かう冷却風を生起する下側の第２送風ファン１０８と、両送風ファン１０７・１０８を回転駆動するファンモーター１０９などで構成されている。ファンモーター１０９は両軸モーターからなり、上側の出力軸に第１送風ファン１０７が固定され、下側の出力軸に第２送風ファン１０８が固定されている。
【００５５】
両送風ファン１０７・１０８は、本体ケース１の中心軸線方向に冷却風を送給する。ファンモーター１０９を駆動すると両送風ファン１０７・１０８が回転駆動され、ファンモーター１０９に正対するグリップ部８に開口した吸気口１１０から外部空気が本体ケース１内に取り込まれる。本体ケース１に取り込まれ、第１送風ファン１０７で発光源１１側に送給された冷却風は、各発光源１１を冷却したのち投光ヘッド７の上端後面に設けた上排気口１１１（図２参照）から本体ケース１外に排気される。また、第２送風ファン１０８でコンデンサー１４側に送給された冷却風は、コンデンサー１４を冷却したのちグリップ部８の下端近傍に設けた下排気口１１２（図１参照）から本体ケース１外に排気される。
【００５６】
図１および図３に示すように送風ユニット１０６は、装着開口４ａの上方の制御基板４に前後貫通状に形成された装着開口４ｂに装着されており、送風ユニット１０６と発光源１１・１１との間に、制御基板４の一部が配置されている。送風ユニット１０６は、ファンモーター１０９が装着開口４ｂの周縁部における制御基板４で支持されて、装着開口４ｂに装着されている。なお、ファンモーター１０９は、本体ケース１に設けた支持リブなどの支持部で支持することもできる。発光源１１側に送給された冷却風は、本体ケース１内を制御基板４の前後面（表裏面）に沿って各発光源１１・１１に送給されるようになっている。このように、送風ファン１０７で送給される冷却風を、制御基板４の前後面に沿って各発光源１１・１１に送給すると、制御基板４を各発光源１１・１１に冷却風を案内する導風板として利用できるので、各発光源１１・１１に的確に冷却風を案内できる。また、別途導風板を設ける必要がないので美容器具の構造を簡素化できる。
【００５７】
図２に示すように制御基板４の上寄りの前後面には、各発光源１１・１１へ向かって突設した前後一対の光源ホルダー１１５が設けられており、光源ホルダー１１５は左右を一組として設けられている。光源ホルダー１１５は、基端が制御基板４に固定される丸軸状のホルダー軸１１６と、ホルダー軸１１６の先端に固定されて、発光源１１の電極１１ａを挟持する挟持クリップ１１７とで構成されている。挟持クリップ１１７は、上下一対の弾性変形可能な挟持腕１１８を備えており、各挟持腕１１８の前後中央部には外突状の湾曲部１１９が形成されている。発光源１１の電極１１ａは、一対の挟持腕１１８間に先端側から押し込み装着されるが、押し込み装着を容易化するために、一対の挟持腕１１８の先端は外広がり状に形成されている。
【００５８】
発光源１１は、引出開口１０ａ・１０ａから照射ケース１０の外部へと引出された電極１１ａが挟持クリップ１１７で挟持されて、左右一組の光源ホルダー１１５で固定保持される。固定保持された発光源１１は、電極１１ａが両湾曲部１１９部分に位置し、前後方向の移動が規制されている。このように、各発光源１１・１１を、両発光源１１・１１の間に配置した制御基板４に突設した光源ホルダー１１５で固定支持すると、発光源１１に駆動電力を供給する制御基板４を利用して、同基板４に突設した光源ホルダー１１５で発光源１１を固定支持できるので、投光ヘッド７や照射ケース１０などに発光源１１の支持構造を設ける場合に比べて、美容器具の構造を簡素化できる。
【００５９】
光源ホルダー１１５を構成するホルダー軸１１６および挟持クリップ１１７は導電性素材で形成されており、本実施例においてはアルミニウムを素材として形成した。このように、光源ホルダー１１５を発光源１１と制御基板４とを導通する導通体を兼ねるようにすると、別途リード線などの導通体を設ける必要がない分、美容器具の構造をより簡素化できる。さらに、発光源１１を光源ホルダー１１５で固定支持するだけで、制御基板４と発光源１１との間の電気的導通を図ることができ、美容器具の組付けの手間を省略できる。なお、光源ホルダー１１５は、アルミニウムに限らず、銅、真ちゅう、ステンレス、あるいはスズめっきされた鉄などの導電性を有する金属素材で形成してもよく、また、表面に導電性金属膜を設けた樹脂材で形成してもよい。
【００６０】
先に説明したように第１送風ファン１０７で送給される冷却風は、制御基板４の前後面に沿って本体ケース１の中心軸線方向に送給される。発光源１１の中心軸線は、本体ケース１の中心軸線と直交する向きに配置されているため、そのままでは発光源１１と冷却風の接触機会が少なく、効率よく発光源１１を冷却することができない。そこで本実施例においては、送風ユニット１０６と発光源１１・１１との間に、送風ユニット１０６から送給された冷却風を各発光源１１・１１の一側端へ向かって変向案内する変向構造１２１を設けた。
【００６１】
図１および図２に示すように、変向構造１２１は制御基板４を間にして前後に設けられており、前後のケース１ａ・１ｂの投光ヘッド７とグリップ部８との境界部分に設けた上下隔壁１２２、左右隔壁１２３、および導風路１２４などで構成されている。上下隔壁１２２は、投光ヘッド７とグリップ部８の境界で本体ケース１の内部を上下に区分しており、左右隔壁１２３は、上下隔壁１２２で区分された投光ヘッド７側の内部空間を左右に区分している。また、導風路１２４は、上下隔壁１２２で区分されたグリップ部８側の内部空間と、左右隔壁１２３で区分された投光ヘッド７の右側の内部空間とを連通している。各左右隔壁１２３は照射ケース１０（照射ヘッド２）を避けるように形成されている。送風ユニット１０６から送給された冷却風は、上下隔壁１２２の下面から導風路１２４を介して投光ヘッド７の右側の内部空間へと送給される。つまり、第１送風ファン１０７から送給された冷却風は、各発光源１１・１１の右側端（一側端）へ向かって変向案内される。
【００６２】
変向構造１２１で各発光源１１・１１の右側端に達した冷却風は、それぞれ照射ケース１０の右側の引出開口１０ａから照射ヘッド２内に入り、各発光源１１・１１に沿って照射ヘッド２内を流動しながら各発光源１１・１１を冷却したのち、左側の引出開口１０ａから照射ヘッド２外へと出る。そして、冷却後の冷却風は上排気口１１１から本体ケース１外へと排気される。このように、各発光源１１・１１の右側端に達した冷却風を、各発光源１１・１１の左側端（他側端）へ向かって流動させて、各発光源１１・１１を冷却している。このように、冷却風を各発光源１１・１１の右側端から左側端へ向かって流動させて、各発光源１１・１１を冷却すると、発光源１１と冷却風との接触機会を多くして発光源１１の全体を効率よく冷却できる。また、冷却風は、発光源１１で加熱された照射ヘッド２内の加熱空気とともに流動する。そのため、冷却風は発光源１１を冷却しつつ加熱空気を上排気口１１１に向かって流動させている。これにより、加熱空気は冷却風とともに上排気口１１１から本体ケース１外へと排気される。
【００６３】
図１に示すように、広域照射面１０１および狭域照射面１０２の近傍、具体的には投光ヘッド７下側の前後には、段落ち部１２７が形成されている。段落ち部１２７の入隅部には、肌面を冷却するための冷却風を吹き出す送風口１２８がそれぞれ設けられており、これにより、広域照射面１０１および狭域照射面１０２に隣接する一段凹んだ位置に各送風口１２８が配置されている。送風口１２８からは、送風ユニット１０６で生起され各発光源１１・１１に至る前の冷却風の一部が肌面に向かって吹き出される。このように、広域照射面１０１および狭域照射面１０２の近傍の送風口１２８から、肌面を冷却するための冷却風を吹き出すと、光の照射によって温められた肌面を冷却して、むだ毛処理時の熱感を低減することができ、快適にむだ毛処理を行うことができる。また、別途肌面冷却専用の送風構造を設ける必要がない分、美容器具のコストアップを抑制できる。なお、送風口１２８は広域照射面１０１および狭域照射面１０２に隣接する一段凹んだ段落ち部１２７の入隅部に設けられているので、広域照射面１０１または狭域照射面１０２を肌面に密着させた状態でも塞がれることがない。そのため、熱感を強く感じる光の照射時にも肌面に冷却風を的確に供給できる。
【００６４】
広域照射面１０１および狭域照射面１０２には、それぞれ肌面が接触したことを検知する人体センサ１３１が配置されている。人体センサ１３１は、各照射面１０１・１０２の左右中央の上側に隣接して設けられる肌電極１３２ａ・１３２ｂと、グリップ部８の上下中央に周回状に設けられるグリップ電極１３３を備えている。各肌電極１３２ａ・１３２ｂは本体ケース１で出退可能に支持されて、投光ヘッド７内に設けたばね１３４で突出する向きに付勢されている。広域照射面１０１を肌面に密着させたときには、肌電極１３２ａは投光ヘッド７内に収容されて、電極前面と広域照射面１０１が面一状になる。また、狭域照射面１０２を肌面に密着させたときには、肌電極１３２ｂは投光ヘッド７内に退入して、電極後面と狭域照射面１０２が面一状になる。なお、人体センサ１３１は、静電容量式センサや、投光ヘッド７で出退可能に支持される押圧体と、押圧体で押圧操作されるマイクロスイッチとで構成される形態の機械式センサであってもよい。
【００６５】
光照射モードにおいては、肌電極１３２ａ・１３２ｂに、制御基板４から微弱な電流が印加されている。ユーザーがグリップ部８を手で握ってグリップ電極１３３に触れるとともに、顔などの肌面にいずれかの照射面１０１・１０２を密着させると、対応する肌電極１３２ａ・１３２ｂおよびグリップ電極１３３を繋ぐ制御基板４の内部回路と、ユーザーの人体とからなる電気的閉ループが形成される。制御基板４（制御部）は、肌電極１３２ａを含む閉ループが形成された場合には広域照射面１０１が肌面に密着していると判断し、肌電極１３２ｂを含む閉ループが形成された場合には狭域照射面１０２が肌面に密着していると判断する。制御基板４は、人体センサ１３１の検知結果に基づき、閉ループが形成されて肌面に密着していると判断した側の照射面１０１・１０２に対応する発光源１１・１１を点灯させるように制御する。発光源１１は、肌面が検知されたのち所定時間をおいて自動的に点灯される。
【００６６】
コンデンサー１４の下方の制御基板４には、報知音を出力するスピーカー１３７と、振動を生起するバイブレータ１３８と、表示光を発光する前後一対のＬＥＤ１３９が実装されており、これらの機器１３７・１３８・１３９は、ユーザーに注意を喚起するための報知体１４０を構成している。本実施例では、光照射モードにおいて、コンデンサー１４の充電完了状態を、一対のＬＥＤ１３９を点灯することでユーザーに報知し、人体センサ１３１が肌検知状態であることをバイブレータ１３８の駆動でユーザーに報知するようにした。また、発光源１１が点灯される際の事前報知として、スピーカー１３７から例えば連続音（ピー）からなる予鈴音を出力してユーザーに報知するようにした。なお、これに限らず、スピーカー１３７またはバイブレータ１３８を充電完了状態の報知に、スピーカー１３７またはＬＥＤ１３９を肌検知状態の報知に、スピーカー１３７またはＬＥＤ１３９を光照射前の合図として用いてもよい。また、これら１３７・１３８・１３９の複数を組み合わせてユーザーに注意を喚起することもできる。上記のような音、振動、光などを出力して発光源１１の点灯タイミングを知らせることにより、ユーザーが不快な思いをするのを防止する手段のことを、「予鈴報知構造」と総称できる。
【００６７】
電源オフ状態の美容器具の電源スイッチ５をオン操作して光照射モードに切り替えると、図５のタイムチャートに示すように、制御基板４はファンモーター１０９を起動すると同時に、コンデンサー１４への充電を開始する（時点ｔ０）。ファンモーター１０９は、光照射モードの間駆動が継続される。コンデンサー１４への充電が完了すると、制御基板４は一対のＬＥＤ１３９を点灯して、ユーザーに発光源１１が点灯可能な状態になったことを報知する（時点ｔ１）。ユーザーがグリップ部８を手で握って広域照射面１０１を肌面に密着させると、広域照射面１０１側の肌電極１３２ａが肌面に接触することで人体センサ１３１が肌面を検知して、バイブレータ１３８が起動される（時点ｔ２）。さらに時点ｔ２では、制御基板４は、広域照射面１０１が肌面に密着されていると判断し、広域照射面１０１に対応する発光源１１を点灯することを決定し、制御基板４内の制御部に搭載されるタイマーをスタートさせる。
【００６８】
タイマーのカウントが０．５秒に達すると（時点ｔ３）、制御基板４はバイブレータ１３８の駆動を停止すると同時にスピーカー１３７から予鈴音を出力し、発光源１１が点灯されることをユーザーに報知する。予鈴音は０．２秒間出力され、予鈴音の停止後、０．１秒が経過すると制御基板４は発光源１１を点灯させ、肌面に向かって光を放射する（時点ｔ４）。制御基板４は発光源１１の点灯後は速やかに次の点灯に備えてコンデンサー１４への充電を開始する。なお、時点ｔ５では、光照射を確認したユーザーが広域照射面１０１を肌面から離したため、人体センサ１３１の肌検知状態が解除されている。
【００６９】
時点ｔ６では、コンデンサー１４への再度の充電が完了して、制御基板４はＬＥＤ１３９を点灯させている。時点ｔ７では、ユーザーはグリップ部８を中心軸線まわりに１８０度回転させて手で握っており、今度は狭域照射面１０２を肌面に密着させたため、狭域照射面１０２側の人体センサ１３１が肌面を検知し、バイブレータ１３８が起動されている。さらに時点ｔ７では、制御基板４は、狭域照射面１０２が肌面に密着されていると判断し、狭域照射面１０２に対応する発光源１１を点灯することを決定し、制御基板４内に搭載されるタイマーをスタートさせる。時点ｔ８、ｔ９では、先の時点ｔ３、ｔ４と同様にユーザーへの報知を行ったのち、制御基板４は発光源１１を点灯させ、肌面に向かって光を放射している。時点ｔ１０では、光照射を確認したユーザーが狭域照射面１０２を肌面から離したため、人体センサ１３１の肌検知状態が解除されている。なお、人体センサ１３１の肌面の検知後から発光源１１が点灯されるまでの間に、肌電極１３２ａ・１３２ｂが肌面から離れる、あるいはグリップ電極１３３からグリップ部８を握る手が離れるなどして肌検知状態が解除されると、制御基板４は発光源１１の点灯を中止してタイマーをリセットする。
【００７０】
上記のように、人体センサ１３１の検知結果に基づき、肌面が検知された側の照射面１０１・１０２に対応する発光源１１・１１が自動的に点灯されるように構成すると、ユーザーは広域照射面１０１または狭域照射面１０２を肌面に密着させるだけで、密着させた側の照射面１０１・１０２に対応する発光源１１が点灯されるので、美容器具の使い勝手を向上できる。加えて、人体センサ１３１による肌面の検知後から発光源１１が点灯されるまでの間に、本体ケース１に設けたスピーカー１３７（報知体１４０）から予鈴音を出力すると、発光源１１の点灯タイミングを知ることができ、ユーザーは発光に備えて心の準備をし、あるいは発光領域から目をそらすなどの予防措置をとることができる。従って、ユーザーが突然の発光で驚かされたり、光によって眩しさを感じて不快な思いをするのを防止できる。なお、人体センサ１３１の肌面検知と同時、あるいは直後にスピーカー１３７から予鈴音を出力することもできる。
【００７１】
図１に示すように本体ケース１の下端（先端）には、トリマーユニット１４３が配置されている。トリマーユニット１４３は、本体ケース１に固定される固定刃１４４と、固定刃１４４に摺接する可動刃１４５と、可動刃１４５を駆動するトリマーモーター１４６などを備えている。固定刃１４４および可動刃１４５は櫛刃からなる。トリマーモーター１４６の出力軸には偏心ピン１４７が固定されており、トリマーモーター１４６を駆動することにより、可動刃１４５は前後に往復駆動される。光照射モードにある美容器具の電源スイッチ５をオン操作すると、光照射モードからトリマーモードに移行し、制御基板４はトリマーモーター１４６を起動する。トリマーモードにおいては、制御基板４は肌電極１３２ａ・１３２ｂに対して微弱な電流を供給しておらず、人体センサ１３１は機能していない。また、発光源１１の点灯制御を停止している。そのため、広域照射面１０１または狭域照射面１０２を肌面に密着させたとしても発光源１１が点灯されることはない。
【００７２】
上記のように、グリップを兼ねる本体ケース１にトリマーユニット１４３を設けると、１個の美容器具で投光部１５から照射される光によるむだ毛処理に加えて、トリマーユニット１４３でのむだ毛トリミングを行うことができる。従って、別途むだ毛トリミングを行うための器具を用意する必要がなく、また、器具を持ち替える手間もないので、むだ毛トリミングと光照射の一連のむだ毛処理を効率的に行うことができる。
本体ケース１の一側に投光ヘッド７を配置し、他側にグリップ部８を配置して、グリップ部８の端部にトリマーユニット１４３を配置すると、光照射によるむだ毛処理とむだ毛トリミングとの美容器具の姿勢を明確に切り替えて、一方の処理動作に他方の投光ヘッド７またはトリマーユニット１４３が邪魔になることがなく、的確にそれぞれの処理動作を行うことができる。
【００７３】
（実施例２）  図６は本発明に係る光照射型の美容器具の実施例２を示している。本実施例においては、本体ケース１を肌面に沿って一定量ずつ移動させるためのシフト手段６が本体ケース１に設けられている点が先の実施例１と異なる。シフト手段６は、肌面における照射領域の重複や通越し移動を防ぐ目的で設けられている。シフト手段６は投光ヘッド７の広域照射面１０１および狭域照射面１０２の上方にそれぞれ設けられており、ＬＥＤ光源１５０と、集光レンズ１５１と、ＣＭＯＳイメージセンサー１５２を光学ケース１５３内に収容し、これらの光学部品とシフト報知構造でシフト手段６を構成した。図６において符号１５４は前後のケース１ａ・１ｂに開口した投光窓である。シフト報知構造は、音と光と振動のうち少なくともひとつを発生して、照射ケース１０が所定量移動したことをユーザーに報知する。本実施例におけるシフト報知構造は、報知体１４０であるスピーカー１３７で構成した（図４参照）。他は実施例１と同じであるので、同じ部材に同じ符号を付してその説明を省略する。以下の説明においても同じとする。
【００７４】
美容器具を光照射モードにして、例えば広域照射面１０１を肌面に密着させて発光源１１を点灯させる。続いて広域照射面１０１を使用する際に、広域照射面１０１を肌面に密着させたまま滑らせて広域照射面１０１を新たな照射領域へ移動させるが、このとき、ＣＭＯＳイメージセンサー１５２が読み取った画像の違いから本体ケース１の移動量を知ることができるので、本体ケース１が所定量移動した時点で、スピーカー１３７から例えば連続短音（ピピッ）の報知音を出力する。これにより先の照射領域から新たな照射領域に広域照射面１０１が移動したことをユーザーは認知できるので、本体ケース１の移動を停止して次の発光源１１の点灯に備えることができる。シフト手段６は、発光源１１の照射後に人体センサ１３１によって肌面が継続して検知されていることを条件に駆動が開始されるように構成されており、発光源１１の点灯後すぐに肌検知状態が解除された場合には、シフト手段６は駆動されない。なお、本体ケース１が所定量移動する前に肌検知状態が解除された場合には、シフト手段６の駆動は停止される。
【００７５】
このように本体ケース１の移動量を光学的に読み取って数量化し、スピーカー１３７（シフト報知構造）で報知するシフト手段６を備えた美容器具によれば、前回の照射領域と新たな照射領域を過不足なく隣接させることができる。また、広域照射面１０１または狭域照射面１０２が所定量移動操作される毎に、スピーカー１３７で報知音を発して広域照射面１０１または狭域照射面１０２を新たな照射領域と正対させることができる。従って、照射領域が重複し、あるいは照射領域の通越し移動を防止して、万遍なくむだ毛処理を行うことができる。また、報知音を確認することで、広域照射面１０１または狭域照射面１０２が新たな照射領域と正対したことを認識できるので、本体ケース１をゆっくりと移動させる必要もなく速やかに移動操作して、美容器具の使い勝手を向上できる。発光源１１は、シフト報知構造で新たな照射領域に移動したことを報知すると同時、あるいは僅かな時間を置いて自動的に点灯するように点灯タイミングの制御を行うことができる。
【００７６】
本実施例においては、シフト報知構造にスピーカー１３７を適用したが、バイブレータ１３８またはＬＥＤ１３９をシフト報知構造としてもよい。また、これら１３７・１３８・１３９の複数を組み合わせてシフト報知構造としてもよい。発光源１１の点灯タイミングを、上記シフト報知構造が駆動されたのち所定時間（例えば０．２秒）経過後に発光源１１を自動的に点灯するように制御すれば、シフト報知構造が先の予鈴報知構造を兼ねるように構成することができる。
【００７７】
（実施例３）  図７は本発明に係る光照射型の美容器具の実施例３を示している。本実施例においては、後側の照射ヘッド２の防護カバー１３は、照射ケース１０の先端側が平面視において先窄まり状に形成されており、前側の照射ヘッド２の防護カバー１３と上下寸法は同じであるが左右寸法が小さく設定されている。このように、狭域照射面１０２は本実施例のように長方形の長辺長さだけが異なるように構成することができる。また、長方形の短辺長さだけが異なるように構成することもできる。広域照射面１０１および狭域照射面１０２は長方形状である必要はなく、円形、楕円形であってもよい。前後の照射ヘッド２・２の防護カバー１３を同一形状に構成して、一方の照射ヘッド２の防護カバー１３の一部に発光源１１から発光された光の電磁波領域のすべてを遮断する遮蔽板やコーティングを設けて、狭域照射面１０２とすることもできる。各照射面１０１・１０２は、光の照射領域の重複を極力抑えるために、四角形（正方形・長方形）に形成することが好ましい。各照射ヘッド２・２に配置される発光源１１・１１は、同一サイズのものを使用した。このように同一サイズ、つまり同一部品からなる発光源１１・１１を使用すると、サイズの異なる発光源１１を使用する場合に比べて、部品管理が容易になる点で有利である。なお、両発光源１１・１１は同一サイズのものを使用したが、後側の照射ヘッド２の発光源１１は放射面積が小さい分、左右寸法の小さいものを使用することができる。この場合には、照射ケース１０の左右寸法も発光源１１に合わせて小さくすることができる。
【００７８】
（実施例４）  図８は本発明に係る光照射型の美容器具の実施例４を示している。本実施例においては、投光ヘッド７に３個の照射ヘッド２を設けて、投光面１５が広域照射面１０１、狭域照射面１０２に加え、広域照射面１０１よりも小さく狭域照射面１０２よりも大きな放射面積を持つ中域照射面（照射面）１０３を備えるようにした。各照射面１０１・１０２・１０３の上下寸法は同一であるが、中域照射面１０３の左右寸法は広域照射面１０１の約半分に設定され、狭域照射面１０２の左右寸法は中域照射面１０３の約半分に設定されている。投光ヘッド７の後面は平面視においてへ字状に左右中央が外向きに突出しており、左側斜面に中域照射面１０３を有する照射ヘッド２が設けられ、投光ヘッド７後面の右側斜面に狭域照射面１０２を有する照射ヘッド２が設けられている。狭域照射面１０２を有する照射ヘッド２および中域照射面１０３を有する照射ヘッド２は、それぞれ照射ヘッド２を構成する照射ケース１０、発光源１１、およびリフレクター１２なども、各照射面１０２・１０３に合わせて左右寸法が小さく形成されている。前側の照射ヘッド２の発光源１１を点灯させると、広域照射面１０１から前方に向かって光が照射され、後右側の照射ヘッド２の発光源１１を点灯させると、狭域照射面１０２から斜め右後方に向かって光が照射される、後左側の照射ヘッド２の発光源１１を点灯させると、中域照射面１０３から斜め左後方に向かって光が照射される。
【００７９】
このように、投光部１５を３個の照射面１０１・１０２・１０３で構成すると、光の放射面積の選択幅が広がり、処理部位に最適な放射面積の照射面１０１・１０２・１０３で肌面に光を照射できるので、ユーザーの利便性が向上する。なお、投光ヘッド７にさらに照射ヘッド２を配置して、投光部１５を３個以上の照射面で構成することもできる。本実施例では、広域照射面１０１と狭域照射面１０２と中域照射面１０３の３個で投光面１５を構成したが、１個の広域照射面１０１と２個の狭域照射面１０２とで投光面１５を構成することもできる。
【００８０】
上記の実施例１から３では、投光ヘッド７の前後面（周面）に広域照射面１０１と狭域照射面１０２を配置した。また、実施例４では、投光ヘッド７の前面（周面）に広域照射面１０１を配置し、投光ヘッド７のへ字状に突出する後面右側（周面）に狭域照射面１０２を配置し、後面左側（周面）に中域照射面１０３を配置した。このように、各照射面１０１・１０２・１０３から放射される光の照射方向をそれぞれ異なる方向に設定すると、投光ヘッド７を反転（回転）させることで照射面１０１・１０２・１０３が切り替えられるので、照射面１０１・１０２・１０３の選択動作を明確にして美容器具の使用感を向上できる。また、簡単な構造で各照射面１０１・１０２・１０３のみを的確に肌面に密着させることができるので、光漏れが生じることなくむだ毛処理を行える。なお、上記の実施例１から３では、照射ヘッド２は、投光ヘッド７の前面と後面に設けたが、前面と右面あるいは後面と左面などに設けることもできる。要は、各照射面１０１・１０２・１０３から放射される光の照射方向が、それぞれ異なるように照射ヘッド２を配置すればよい。
【００８１】
（実施例５）  図９は本発明に係る光照射型の美容器具の実施例５を示している。本実施例においては、本体ケース１の上端面、すなわち投光ヘッド７の上面を本体ケース１の中心軸線に対して傾斜する傾斜面１５７で構成し、傾斜面１５７に長手寸法は同一で短手寸法が異なる長方形状の広域照射面１０１と狭域照射面１０２を隣接配置した。傾斜面１５７の上側に狭域照射面１０２が配置され、下側に広域照射面１０１が配置されている。上側の照射ヘッド２の発光源１１を点灯させると、狭域照射面１０２から斜め上前方に向かって光が照射され、下側の照射ヘッド２の発光源１１を点灯させると、広域照射面１０１から同様に斜め上前方に向かって光が照射される。このように、傾斜面１５７に広域照射面１０１と狭域照射面１０２を隣接配置すると、本体ケース１および同ケース１を持つ手が邪魔になって、処理部位が目視し難くなるのを抑制できるので、肌面の処理部位に各照射面１０１・１０２を的確に密着させることができる。また、いずれの照射面１０１・１０２を肌面に密着させる場合でも、本体ケース１の姿勢が同じであるので、本体ケース１の姿勢を大きく変更する必要がない分、ユーザーによる美容器具の操作を簡便化できる。
【００８２】
本実施例では、肌電極１３２ａが肌面に当接して、広域照射面１０１が肌面に密着していることを人体センサ１３１が検知すると、広域照射面１０１に対応する発光源１１が自動的に点灯（部分点灯）され、肌電極１３２ｂが肌面に当接して、狭域照射面１０２が肌面に密着していることを人体センサ１３１が検知すると、狭域照射面１０２に対応する発光源１１が自動的に点灯（部分点灯）されるように制御している。また、肌電極１３２ａ・１３２ｂの両方が肌面に当接して、両照射面１０１・１０２が肌面に密着していることを人体センサ１３１が検知すると、両方の発光源１１・１１が自動的に点灯（全点灯）されるように制御している。このように、人体センサ１３１の検知結果に基づき、各発光源１１・１１を全点灯し、または、いずれかの照射面１０１・１０２に対応する発光源１１のみを点灯させるようにすると、肌面に密着していない照射面１０１・１０２の発光源１１・１１は点灯されることがなく、周囲に漏れたパルス光によってユーザーが眩しさを感じ不快な思いをすることを回避できる。また、使用する広域照射面１０１あるいは狭域照射面１０２を肌面に密着させるだけで、選択した照射面１０１・１０２の発光源１１・１１が点灯されるので、ユーザーによる美容器具の操作を簡便化できる。
【００８３】
上記の実施例では、傾斜面１５７に広域照射面１０１と狭域照射面１０２を隣接配置したが、２個の狭域照射面１０２・１０２を隣接配置した形態を採ることができる。この場合には、両発光源１１・１１を全点灯したとき、両狭域照射面１０２・１０２から光が放射されるので、２個の狭域照射面１０２が、広域照射面１０１として機能して、２パターンの放射面積を選択できる。また、別途発光源１１の点灯用の手動スイッチを設け、人体センサ１３１は肌面に密着している照射面１０１・１０２の判定手段として構成してもよい。この場合には、人体センサ１３１の検知結果に基づき、点灯される発光源１１・１１が自動的に選択され、手動スイッチのオン操作により、選択された発光源１１・１１が点灯されるように制御する。
【００８４】
（実施例６）  図１０は本発明に係る光照射型の美容器具の実施例６を示している。本実施例においては、投光ヘッド７の前面に左右寸法が異なり上下寸法は同一の広域照射面１０１と狭域照射面１０２を隣接配置した。また、本実施例では、人体センサ１３１は省略されており、照射面１０１・１０２を肌面に密着させただけで自動的に発光源１１・１１が点灯されることはない。そのため、発光源１１・１１を点灯させるプッシュ式の照射スイッチ１６０が投光ヘッド７の後面に設けられている。照射スイッチ１６０は、広域照射面１０１および狭域照射面１０２のいずれか一方に対応する発光源１１を点灯させる後面右側の部分点灯スイッチ１６１と、両照射面１０１・１０２に対応する発光源１１・１１を点灯させる後面左側の全点灯スイッチ１６２とで構成されている。
【００８５】
部分点灯スイッチ１６１で点灯される発光源１１は、図示していないスライド式の切替スイッチで選択できるようになっている。広域照射面１０１に対応する発光源１１を点灯させるように切替スイッチを切り替えて部分点灯スイッチ１６１をオン操作すると、広域照射面１０１から前方に向かって光が照射され、狭域照射面１０２に対応する発光源１１を点灯させるように切替スイッチを切り替えて部分点灯スイッチ１６１をオン操作すると、狭域照射面１０２から前方に向かって光が照射される。また、全点灯スイッチ１６２をオン操作すると、広域照射面１０１および狭域照射面１０２から光が照射される。これにより、本実施例においては３パターンの放射面積が選択でき、多様な放射面積に光を放射することができる。
【００８６】
上記の実施例においては、誤って照射スイッチ１６０がオン操作されて、発光源１１・１１が点灯されることがないように、両照射面１０１・１０２の間の投光ヘッド７の前面に静電容量式などの近接センサを設けて、肌面が両照射面１０１・１０２に近接していることを検知し、かつ部分点灯スイッチ１６１あるいは全点灯スイッチ１６２がオン操作された場合のみ、発光源１１・１１を点灯させるようにしてもよい。上記スライド式の切替スイッチに換えて、さらに部分点灯スイッチ１６１を追加し、広域照射面１０１および狭域照射面１０２に対応する発光源１１・１１を、それぞれ専用の部分点灯スイッチ１６１で点灯させるようにしてもよい。スライド式の切替スイッチを省略して、部分点灯スイッチ１６１で広域照射面１０１または狭域照射面１０２のいずれか一方の発光源１１のみを点灯できるようにすることができる。
【００８７】
（実施例７）  図１１は本発明に係る光照射型の美容器具の実施例７を示している。本実施例においては、投光ヘッド７前面右側に、同ヘッド７で往復スライド可能に案内支持されるスライド投光体１６３を設けた点と、照射スイッチ１６０を１個で構成した点が先の実施例６と異なる。狭域照射面１０２はスライド投光体１６３の前面（外側面）に設けられており、スライド投光体１６３は、狭域照射面１０２が広域照射面１０１と面一になる収納位置と、狭域照射面１０２が広域照射面１０１より前側（外側）方へ突出する使用位置との間で位置を切り替えることができる。スライド投光体１６３の後面と正対する投光ヘッド７には、スライド投光体１６３を検知する近接センサからなる投光体センサ１６４が設けられている。投光体センサ１６４は、スライド投光体１６３が収納位置にあるときには、制御基板４に向かって検知信号を出力し、スライド投光体１６３が使用位置にあるときには、投光体センサ１６４は検知信号を出力しない。このように、制御基板４は検知信号の有無によってスライド投光体１６３の位置を検知している。
【００８８】
制御基板４は、スライド投光体１６３が収納位置にある状態において照射スイッチ１６０がオン操作されると、両照射面１０１・１０２に対応する発光源１１・１１を点灯させる。また、スライド投光体１６３が使用位置にある状態において照射スイッチ１６０がオン操作されると、狭域照射面１０２に対応する発光源１１を点灯させる。こうした美容器具によれば、スライド投光体１６３をスライド操作することで自動的に発光源１１・１１の点灯状態が切り替えられるので、１個の照射スイッチ１６０でむだ毛処理が行える分、ユーザーの利便性を向上できる。また、スライド投光体１６３の使用位置においては、狭域照射面１０２は広域照射面１０１より外側方へ突出しているので、投光ヘッド７が邪魔になることなく、処理部位に狭域照射面１０２だけを的確に密着させることができる。なお、発光源１１の点灯制御は、照射スイッチ１６０に換えて、スライド投光体１６３の前面に設けた人体センサ１３１で行ってもよい。この場合には、人体センサ１３１で肌面を検知したとき、スライド投光体１６３の位置に応じて自動的に発光源１１・１１を部分点灯、あるいは全点灯させる制御を行う。
【００８９】
上記の実施例６および７のように、各発光源１１・１１が全点灯される状態と、部分点灯される状態とに切り替えて、むだ毛処理を施すことができるようにすると、各発光源１１・１１を全点灯することで、両照射面１０１・１０２を合わせた放射面積に光を放射できる。また、各発光源１１・１１を部分点灯することで、各照射面１０１・１０２の放射面積にそれぞれ光を放射できる。従って、簡単な構成で広い放射面積に光を放射する形態と、狭い放射面積に光を放射する形態とに変更することができ、美容器具の使い勝手をより向上できる。
【００９０】
上記の実施例６および７では、広域照射面１０１と狭域照射面１０２を隣接配置したが、２個の狭域照射面１０２を隣接配置してもよい。この場合には、いずれか一方の発光源１１を部分点灯したとき、狭域照射面１０２から光が放射される。また、両発光源１１・１１を全点灯したとき、両狭域照射面１０２・１０２から光が放射されるので、２個の狭域照射面１０２が、広域照射面１０１として機能する。従って、２パターンの放射面積が選択できる美容器具とすることができる。
【００９１】
（実施例８）  図１２は本発明に係る光照射型の美容器具の実施例８を示している。本実施例においては、投光ヘッド７に１個の照射ヘッド２を設け、投光部１５は、投光ヘッド７の前面に広域照射面１０１を配置し、その内部に発光源１１を配置した。また、広域照射面１０１の前面（外面）の一部を遮蔽ないし開放する遮蔽体１６７を設けた。そして、遮蔽体１６７が広域照射面１０１の前面（外面）を遮蔽した状態において、遮蔽体１６７で遮蔽されていない広域照射面１０１が狭域照射面１０２として機能するようにした。遮蔽体１６７は、屈曲可能な柔軟な板体で形成されており、投光ヘッド７（本体ケース１）でスライド出退可能に支持されている。遮蔽体１６７を投光ヘッド７内に退避させた状態においては、広域照射面１０１は開放されており、広域照射面１０１に相当する放射面積の肌面に光を照射することができる。また、遮蔽体１６７を投光ヘッド７内から進出させて広域照射面１０１の前面の一部を遮蔽した状態においては、遮蔽体１６７で遮蔽されていない広域照射面１０１から狭域照射面１０２に相当する放射面積の肌面に光を照射することができる。
【００９２】
（実施例９）  図１３は本発明に係る光照射型の美容器具の実施例９を示している。本実施例においては、遮蔽体１６７を硬質な板体で形成して、投光ヘッド７（本体ケース１）で揺動変位可能に支持した点が、先の実施例８と異なる。遮蔽体１６７を投光ヘッド７の左面側に揺動させた状態においては、広域照射面１０１は開放されており、広域照射面１０１に相当する放射面積の肌面に光を照射することができる。また、遮蔽体１６７を投光ヘッド７の前面側に揺動させて広域照射面１０１の前面の一部を遮蔽した状態においては、遮蔽体１６７で遮蔽されていない広域照射面１０１から狭域照射面１０２に相当する放射面積の肌面に光を照射することができる。
【００９３】
上記のように、広域照射面１０１の外面の一部を遮蔽ないし開放する遮蔽体１６７を設けて、遮蔽体１６７で遮蔽されていない広域照射面１０１が狭域照射面１０２として機能するようにすると、１個の発光源１１で大きな放射面積と小さな放射面積に光を照射することができる。従って、２以上の発光源１１・１１を設ける場合に比べて、美容器具の構造を簡素化できる。また、遮蔽体１６７を変位させるだけの簡単な操作で、広域照射面１０１と狭域照射面１０２とを切り替えることができ、ユーザーの利便性を向上できる。
【００９４】
図示していないが、上記の実施例６から９においては、本体ケース１内部の後寄りに制御基板４が配置されて、制御基板４の前面側に一対の光源ホルダー１１５・１１５が突設されている。また、実施例７ではスライド投光体１６３の内部に補助基板が設けられており、同基板と制御基板４のそれぞれに光源ホルダー１１５が突設されている。
【００９５】
上記の実施例５から９のように、投光ヘッド７に広域照射面１０１と狭域照射面１０２を隣接配置して、各照射面１０１・１０２から放射される光の照射方向を同一に設定すると、投光ヘッド７の姿勢を大きく変化させることなく、両照射面１０１・１０２、あるいは広域照射面１０１および狭域照射面１０２のそれぞれを的確に肌面に密着させることができるので、美容器具の使い勝手を向上できる。
【００９６】
（実施例１０）  図１４および図１５は本発明に係る光照射型の美容器具の実施例１０を示している。本実施例においては、図１５に示すように、投光ヘッド７を丸筒状に構成し、照射ヘッド２の照射ケース１０は前後方向にＶ字状に広がる断面形状として、同ケース１０内に１個の発光源１１と、リフレクター１２とを収容した。また、照射ケース１０の前後のＶ字開口部分は透明な部分円弧状の防護カバー１３・１３で覆うようにした。発光源１１は照射ケース１０の中央に配置され、リフレクター１２は照射ケース１０の内面全体に配置されている。照射ケース１０は、前側のＶ字開口の左右幅よりも、後側のＶ字開口の左右幅の方が小さく形成されており、前側の防護カバー１３の表面が広域照射面１０１を構成し、後側の防護カバー１３の表面が狭域照射面１０２を構成している。
【００９７】
投光ヘッド７の外面には、周面の一部に透明な透過窓１７０を備える円筒状のキャップ体１７１が本体ケース１の中心軸線まわりに回転可能に外嵌装着されている（図１４参照）。透過窓１７０を除くキャップ体１７１は透光性を有しておらず、透過窓１７０がいずれか一方の照射面１０１・１０２と正対するようにした状態においては、他方の照射面１０１・１０２はキャップ体１７１の周壁で遮蔽される。従って、発光源１１を点灯させると透過窓１７０が正対した側の照射面１０１・１０２からのみ肌面に向かって光が放射される。キャップ体１７１を回転させて透過窓１７０を前側に位置させた状態で発光源１１を点灯させると、広域照射面１０１から前方に向かって光が照射され、透過窓１７０を後側に位置させた状態で発光源１１を点灯させると、狭域照射面１０２から後方に向かって光が照射される。本実施例では、不図示の照射スイッチ１６０をオン操作することにより、発光源１１が点灯されるように構成されている。透過窓１７０を除くキャップ体１７１の内面にリフレクター１２を設けることで、透過窓１７０に対向する周壁側に放射された光を透過窓１７０側に向かって反射させることができるので、より効果的に透過窓１７０側の広域照射面１０１または狭域照射面１０２から光を放射できる。
【００９８】
（実施例１１）  図１６は本発明に係る光照射型の美容器具の実施例１１を示している。本実施例においては、トリマーユニット１４３の固定刃１４４に摺接する可動刃１４５を回転駆動するようにした。固定刃１４４はカップ状に形成し、固定刃１４４の部分球殻状の底壁内面に２個の可動刃１４５が摺接する。可動刃１４５は、トリマーモーター１４６の出力軸に固定された回転台１７４に一体に固定されている。固定刃１４４は網刃からなり、可動刃１４５はアーチ状のかみそり刃からなる。このように、トリマーユニット１４３は先の実施例１のような往復駆動式のトリマーユニット１４３に限らず、本実施例のような回転駆動式のトリマーユニット１４３を適用することができる。
【００９９】
（実施例１２）  図１７は本発明に係る光照射型の美容器具の実施例１２を示している。本実施例においては、トリマーユニット１４３を同ユニット１４３の構成部材が収容されるトリマーケース１７７を含んで構成した。円筒状のトリマーケース１７７の上端（一端）にフランジ部１７８が形成されており、下端（他端）にカップ状の固定刃１４４が固定されている。トリマーケース１７７に、可動刃１４５、トリマーモーター１４６、回転台１７４などが設けられている。本実施例のトリマーモーター１４６は、トリマーケース１７７の内部に配置した電池１７９から駆動電流が供給される。トリマーケース１７７の後側周面には、トリマーモーター１４６への駆動電流をオンオフ操作するための往復スライド式のトリマースイッチ（駆動スイッチ）１８０が設けられている。
【０１００】
本体ケース１のグリップ部８には、下方が開口する有底穴状のトリマーユニット１４３の格納空間１８１が設けられており、トリマーケース１７７は本体ケース１で上下方向に往復スライド可能に案内支持されている。これにより、トリマーユニット１４３は、固定刃１４４および可動刃１４５が本体ケース１から突出する使用姿勢と、固定刃１４４および可動刃１４５が格納空間１８１に格納される格納姿勢とに姿勢変更可能に構成されている。
【０１０１】
（実施例１３）  図１８は本発明に係る光照射型の美容器具の実施例１３を示している。本実施例においては、トリマーユニット１４３を分離可能に構成した点が、先の実施例１２と異なる。格納空間１８１の下端に、フランジ部１７８が係合可能な装着座１８２が設けられており、固定刃１４４を下向きにした状態でフランジ部１７８を装着座１８２に係合させることにより、トリマーユニット１４３を使用姿勢にできる。また、固定刃１４４を格納空間１８１に挿入しフランジ部１７８を装着座１８２に係合させることにより、トリマーユニット１４３を格納姿勢にできる。なお、分離したトリマーユニット１４３を単独で使用することも可能である。
【０１０２】
（実施例１４）  図１９は本発明に係る光照射型の美容器具の実施例１４を示している。本実施例においては、投光ヘッド７に１個の照射ヘッド２を設け、投光部１５は、投光ヘッド７の上面に広域照射面１０１を配置し、その内部に１個の発光源１１を配置した。また、広域照射面１０１の上面（外面）の一部を遮蔽ないし開放する遮蔽体１６７を設けた。遮蔽体１６７は投光ヘッド７（本体ケース１）で揺動変位可能に支持されている。発光源１１の点灯制御は、広域照射面１０１の近傍に設けた人体センサ１３１の検知状態に基づいて制御基板４で行う。
【０１０３】
本体ケース１の後面には内凹み状の格納空間１８１が設けられており、本体ケース１の格納空間１８１内面にトリマースイッチ１８０が設けられている。トリマーケース１７７は四角箱状に形成されており、その下端が凹み状の格納空間１８１に設けた揺動軸１８５で上下揺動変位可能に支持されている。固定刃１４４および可動刃１４５はスリット刃で構成されており、可動刃１４５は往復駆動式である。トリマーモーター１４６には制御基板４から駆動電流が供給される。トリマーユニット１４３が揺動上限に位置する時には、同ユニット１４３の全体は格納空間１８１に格納されている。このとき、トリマースイッチ１８０は、トリマーユニット１４３により隠蔽されている。トリマーユニット１４３を下方に揺動操作して、図１９に想像線で示す揺動下限に位置させることにより、同ユニット１４３を使用姿勢に姿勢変更できる。トリマーユニット１４３を使用姿勢にすることにより、トリマースイッチ１８０はオンオフ操作できる。
【０１０４】
上記の実施例１２から１４においては、トリマーユニット１４３が格納姿勢にある時には、トリマースイッチ１８０は格納空間１８１内に位置している。そのため、トリマーユニット１４３の格納姿勢においては、トリマースイッチ１８０をオンオフ操作することができず、使用姿勢においてのみ、トリマースイッチ１８０をオンオフ操作することができる。従って、トリマースイッチ１８０が不用意にオン操作されるのを防止して、意図せずトリマーユニット１４３が駆動されるのを防止できる。
【０１０５】
（実施例１５）  図２０は本発明に係る光照射型の美容器具の実施例１５を示している。本実施例においては、トリマーユニット１４３の構成が先の実施例１４を異なる。トリマーユニット１４３は、トリマーケース１７７に固定刃１４４と可動刃１４５を設け、トリマーモーター１４６は本体ケース１側に設けた。トリマーケース１７７は、上端寄りを格納空間１８１に設けられた揺動軸１８５で揺動変位可能に支持されており、同ケース１７７が格納空間１８１に格納される格納姿勢と、本体ケース１から突出する使用姿勢とに揺動変位できる。格納姿勢におけるトリマーユニット１４３は、固定刃１４４および可動刃１４５を含むトリマーケース１７７の過半部が格納空間１８１に収容されている。トリマーケース１７７の姿勢は、同ケース１７７の下側に設けた上下往復スライド可能なスライドノブ１８６で変更することができる。スライドノブ１８６は、トリマーモーター１４６への駆動電流をオンオフ操作するトリマースイッチ１８０を兼ねており、格納姿勢からスライドノブ１８６を上側にスライド操作して使用姿勢に姿勢変更すると、トリマーモーター１４６が駆動される。使用姿勢のとき、可動刃１４５に設けた受動ピース１８７がトリマーモーター１４６の偏心ピン１４７と係合する。これにより可動刃１４５は往復駆動される。
【０１０６】
上記の実施例１２から１５ように、トリマーユニット１４３を使用姿勢と格納姿勢とに姿勢変更可能に構成すると、格納姿勢においては両刃１４４・１４５が格納空間１８１に格納されるので、誤って両刃１４４・１４５で肌面が傷つけられるのを解消して、安全性に優れた美容器具とすることができる。また、使用姿勢においては、両刃１４４・１４５が本体ケース１から離間するので、刃先を肌面にあてがう際、本体ケース１が邪魔になることなく的確にトリマーユニット１４３でむだ毛トリミングを行える。
【０１０７】
（実施例１６）  図２１は本発明に係る光照射型の美容器具の実施例１６を示している。本実施例においても、トリマーユニット１４３の構成が先の実施例１４と異なる。固定刃１４４、可動刃１４５、トリマーモーター１４６などはトリマーケース１７７に設けられており、トリマーユニット１４３の全体が本体ケース１の外部に露出している。トリマーケース１７７は本体ケース１で上下方向に往復スライド可能に案内支持されている。トリマーユニット１４３は、図２１に実線で示す待機姿勢と、両刃１４４・１４５の刃先が広域照射面（照射面）１０１と隣接する併使用姿勢（使用姿勢）と、両刃１４４・１４５の刃先が本体ケース１の上側（外側）に突出する単独使用姿勢（使用姿勢）との間で姿勢変更可能に構成されている。
【０１０８】
図２１において、トリマーユニット１４３の併使用姿勢を下側の想像線で示し、単独使用姿勢を上側の想像線で示している。トリマーケース１７７は、トリマーモーター１４６への駆動電流をオンオフ操作するトリマースイッチ１８０を兼ねており、トリマーユニット１４３を併使用姿勢または単独使用姿勢に姿勢変更すると、トリマーモーター１４６が駆動される。トリマーユニット１４３が併使用姿勢においては、トリマーユニット１４３でむだ毛トリミングを行いながら、光照射によるむだ毛処理が行え、トリマーユニット１４３が単独使用姿勢においては、トリマーユニット１４３によるむだ毛トリミングが行える。本実施例の固定刃１４４および可動刃１４５は櫛刃からなる。制御基板４は、トリマーユニット１４３が待機姿勢または併使用姿勢にあるときには発光源１１を点灯可能に制御し、単独使用姿勢にあるときには発光源１１を点灯不可に制御している。
【０１０９】
（実施例１７）  図２２は本発明に係る光照射型の美容器具の実施例１７を示している。本実施例においても、トリマーユニット１４３の構成が先の実施例１４を異なる。固定刃１４４、可動刃１４５、トリマーモーター１４６などはトリマーケース１７７に設けられており、トリマーケース１７７の下端が本体ケース１に設けた揺動軸１８５で上下揺動変位可能に支持されている。トリマーユニット１４３は、同ユニット１４３が揺動上限に位置する併使用姿勢（使用姿勢）と、揺動下限に位置する単独使用姿勢（使用姿勢）との間で姿勢変更可能に構成されている。単独使用姿勢においては、図２２に想像線で示すように、両刃１４４・１４５の刃先が本体ケース１の下側（外側）に突出している。本実施例の固定刃１４４および可動刃１４５はスリット刃からなる。
【０１１０】
本実施例の美容器具は、電源スイッチ５がオン操作されて光照射モードに切り替えられると、制御基板４は、いずれの姿勢においてもトリマーモーター１４６に駆動電流を供給するように制御している。また、制御基板４は、併使用姿勢および単独使用姿勢のいずれであっても発光源１１を点灯可能に制御している。なお、発光源１１が、照射スイッチ１６０によって点灯するように構成されている場合には、単独使用姿勢においては発光源１１を発光不可に制御することが好ましい。これは、単独使用姿勢でトリマーユニット１４３を使用している際に、誤って照射スイッチ１６０がオン操作されることによる発光源１１の点灯を防止するためである。
【０１１１】
上記の実施例１２から１７のように、トリマーユニット１４３を使用姿勢に姿勢変更した状態において、トリマーユニット１４３が備えるトリマーモーター１４６に駆動電流を供給し、もしくは、トリマーユニット１４３が使用姿勢に姿勢変更され、かつ駆動スイッチ１８０を手動でオン操作したとき、トリマーモーター１４６に駆動電流を供給するようにした。こうしたトリマーユニット１４３によれば、前者の場合には、トリマーユニット１４３を使用姿勢に姿勢変更するだけでトリマーモーター１４６が駆動され、また、格納姿勢に姿勢変更するだけでトリマーモーター１４６が停止されるので、ユーザーによる駆動スイッチ１８０のオンオフ操作を排除できる。後者の場合には、駆動スイッチ１８０のオンオフ操作で、トリマーユニット１４３を駆動または停止できるので、むだ毛トリミングと光照射によるむだ毛処理とを交互に行うような美容器具の使用形態の場合に、トリマーモーター１４６で電力が無駄に消費されるのを回避できる。また、トリマーユニット１４３を使用姿勢に姿勢変更しない限り、トリマーユニット１４３が駆動されることがないので、誤って両刃１４４・１４５で肌面が傷つけられるのを解消して、より安全性に優れた美容器具とすることができる。
【０１１２】
また、上記の実施例１６から１７のように、トリマーユニット１４３が本体ケース１で併使用姿勢と、単独使用姿勢との間で姿勢変更可能に支持すると、トリマーユニット１４３が併使用姿勢の状態においては、美容器具の姿勢を変更することなくむだ毛トリミングと光照射によるむだ毛処理を行うことができるので、ユーザーの使い勝手を向上できる。また、単独使用姿勢のトリマーユニット１４３は、本体ケース１が邪魔になることなくむだ毛トリミングを行うことができる。
【０１１３】
上記実施例１４から１７の美容器具においては、発光源１１を点灯するための照射スイッチ１６０を設けてもよい。この場合には、人体センサ１３１が肌面を検知している状態で照射スイッチ１６０がオン操作されたときに、発光源１１を点灯させるようにするとよい。これにより、誤って発光源１１が点灯されるのを防止することができる。なお、人体センサ１３１は省略することも可能である。
【０１１４】
以上のように、上記の各実施例に係る美容器具においては、投光部１５に放射面積が大小に異なる２以上の照射面１０１・１０２・１０３を設け、前記照射面１０１・１０２・１０３のうち、選択された照射面１０１・１０２・１０３から発光源１１で発光した光を放射してむだ毛処理を施すことができるようにした。こうした美容器具によれば、従来の美容器具のようにアタッチメントを着脱することなく、処理部位に対応した放射面積の照射面１０１・１０２・１０３を選択し、これを肌面に密着させて的確にむだ毛処理を施すことができる。従って、光の放射面積を変更するための操作の煩わしさを解消でき、むだ毛処理の所要時間を短縮できる。また、分離したアタッチメントを紛失することもない。異なる放射面積の照射面１０１・１０２・１０３を簡便に切り替えられるので、照射面１０１・１０２・１０３の切り替えの煩わしさを解消して、処理部位に対して適正ではない放射面積の照射面１０１・１０２・１０３でむだ毛処理が施されるのを抑制できるので、光漏れが生じるリスクを低減できる。
【０１１５】
また、投光部１５を構成する照射面１０１・１０２・１０３のうち、少なくともいずれかひとつの照射面１０２における光の放射面積を、他の照射面１０１・１０３における光の放射面積より小さく設定したので、放射面積の小さい照射面１０２を使用してピンポイントでむだ毛処理を行うことができる。例えば目や口唇まわりの顔肌においては、目および口唇を避けてむだ毛処理を行う必要があるが、放射面積の小さい照射面１０２を使用することで容易に目および口唇を避けてむだ毛処理を行うことができる。また、頬や額などの広範な処理部位に対しては、他の照射面１０１・１０３を使用することで、少ない照射回数でむだ毛処理を完了させることができるので、むだ毛処理の所要時間をより短縮できる。
【０１１６】
上記の実施例では、送風ユニット１０６は軸流式を採用したが、これに限らず遠心式ファンと送風モーターを備える遠心式の送風ユニットであってもよく、遠心式ファンの場合には、二方向吐出型の遠心式ファンを使用することが好ましい。光源ホルダー１１５・１１５は制御基板４の前後面にそれぞれ突設したが、両光源ホルダー１１５・１１５を制御基板４の一方の面に突設し、一組の光源ホルダー１１５を制御基板４の左右側面を回り込むように、あるいは制御基板４に設けた貫通孔を貫通させるようにして他方の面側に突設してもよい。変向構造１２１は、第１送風ファン１０７近傍に導入口が配置され、各発光源１１・１１の一側端の近傍に導出口が配置された、屈曲筒状の導風ダクトで構成してもよい。各照射面１０１・１０２・１０３に静電容量式の近接センサを配置し、この近接センサを人体センサ１３１として用いることができる。また、各照射面１０１・１０２・１０３に突出方向に付勢され出退可能な検知片を設けて、検知片で本体ケース１の内部に配置したマイクロスイッチを操作するようにしてもよい。
【０１１７】
上記の各実施例に係る光照射型の美容器具は、以下の形態で実施することができる。
【０１１８】
本体ケース１に設けられた投光ヘッド７の内部に１以上の発光源１１が配置されており、
投光ヘッド７の外面に設けられた投光部１５を肌面に密着させた状態で発光源１１を点灯させて、投光部１５から放射された光で肌面にむだ毛処理が施される光照射型の美容器具であって、
投光部１５は、放射面積が大小に異なる２以上の照射面１０１・１０２・１０３を備えており、
発光源１１で発光した光が、前記照射面１０１・１０２・１０３のうち、選択された照射面１０１・１０２・１０３から放射されてむだ毛処理が施されることを特徴とする光照射型の美容器具。
【０１１９】
上記の本発明に係る美容器具においては、投光部１５に放射面積が大小に異なる２以上の照射面１０１・１０２・１０３を設け、発光源１１で発光した光を、前記照射面１０１・１０２・１０３のうち、選択された照射面１０１・１０２・１０３から放射してむだ毛処理を施すことができるようにした。こうした美容器具によれば、従来の美容器具のようにアタッチメントを着脱することなく、処理部位に対応した放射面積の照射面１０１・１０２・１０３を選択し、これを肌面に密着させて的確にむだ毛処理を施すことができる。従って、光の放射面積を変更するための操作の煩わしさを解消でき、むだ毛処理の所要時間を短縮できる。また、分離したアタッチメントを紛失することもない。
【０１２０】
投光部１５を構成する照射面１０１・１０２・１０３のうち、少なくともいずれかひとつの照射面１０２における光の放射面積が、他の照射面１０１・１０３における光の放射面積より小さく設定されている光照射型の美容器具。
【０１２１】
投光部１５を構成する照射面１０１・１０２・１０３のうち、少なくともいずれかひとつの照射面１０２における光の放射面積を、他の照射面１０１・１０３における光の放射面積より小さく設定すると、放射面積の小さい照射面１０２を使用してピンポイントでむだ毛処理を行うことができる。例えば口唇まわりの顔肌においては、口唇を避けてむだ毛処理を行う必要があるが、放射面積の小さい照射面１０２を使用することで容易に口唇を避けてむだ毛処理を行うことができる。また、頬や額などの広範な処理部位に対しては、他の照射面１０１・１０３を使用することで、少ない照射回数でむだ毛処理を完了させることができるので、むだ毛処理の所要時間をより短縮できる。
【０１２２】
投光ヘッド７の周面に、各照射面１０１・１０２・１０３が配置されており、
各照射面１０１・１０２・１０３から放射される光の照射方向が、それぞれ異なる方向に設定されている光照射型の美容器具。
【０１２３】
投光ヘッド７の周面に各照射面１０１・１０２・１０３を配置し、各照射面１０１・１０２・１０３から放射される光の照射方向をそれぞれ異なる方向に設定すると、投光ヘッド７を回転させることで照射面１０１・１０２・１０３が切り替えられるので、照射面１０１・１０２・１０３の選択動作を明確にして美容器具の使用感を向上できる。また、簡単な構造で各照射面１０１・１０２・１０３のみを的確に肌面に密着させることができるので、光漏れが生じることなくむだ毛処理を行える。
【０１２４】
投光ヘッド７の周面に、少なくとも２個の照射面１０１・１０２が設けられており、
前記照射面１０１・１０２が隣接配置されて、各照射面１０１・１０２から放射される光の照射方向が同一に設定されている光照射型の美容器具。
【０１２５】
投光ヘッド７の周面に設けた少なくとも２個の照射面１０１・１０２を隣接配置して、各照射面１０１・１０２から放射される光の照射方向を同一に設定した。こうした美容器具によれば、投光ヘッド７の姿勢を大きく変化させることなく、両照射面１０１・１０２、あるいはそれぞれの照射面１０１・１０２を的確に肌面に密着させることができるので、美容器具の使い勝手を向上できる。
【０１２６】
少なくとも２個の照射面１０１・１０２の内部に、それぞれ発光源１１・１１が配置されており、
各発光源１１・１１が全点灯される状態と、部分点灯される状態とに切り替えて、むだ毛処理を施すことができる光照射型の美容器具。
【０１２７】
少なくとも２個の照射面１０１・１０２の内部にそれぞれ発光源１１・１１を配置し、各発光源１１・１１が全点灯される状態と、部分点灯される状態とに切り替えて、むだ毛処理を施すことができるようにした。こうした美容器具によれば、各発光源１１・１１を全点灯することで、両照射面１０１・１０２を合わせた放射面積に光を放射できる。また、各発光源１１・１１を部分点灯することで、各照射面１０１・１０２の放射面積にそれぞれ光を放射できる。従って、簡単な構成で美容器具を広い放射面積に光を放射する形態と、狭い放射面積に光を放射する形態とに変更することができ、美容器具の使い勝手をより向上できる。
【０１２８】
投光ヘッド７で往復スライド可能に案内支持されるスライド投光体１６３を備えており、
スライド投光体１６３に、いずれかひとつの照射面１０１・１０２が設けられ、投光ヘッド７に、残る照射面１０１・１０２が設けられており、
スライド投光体１６３は、いずれかひとつの照射面１０１・１０２が残る照射面１０１・１０２と面一になる収納位置と、いずれかひとつの照射面１０１・１０２が残る照射面１０１・１０２より外側方へ突出する使用位置との間で変位可能であり、
スライド投光体１６３が収納位置にある状態では両発光源１１・１１が点灯され、スライド投光体１６３が使用位置にある状態では、スライド投光体１６３に設けられた照射面１０１・１０２に対応する発光源１１のみが点灯される光照射型の美容器具。
【０１２９】
投光ヘッド７で収納位置と使用位置との間で往復スライド可能に案内支持されるスライド投光体１６３に、いずれかひとつの照射面１０１・１０２を設け、投光ヘッド７に、残る照射面１０１・１０２を設けた。また、スライド投光体１６３が収納位置にある状態では両発光源１１・１１を点灯し、スライド投光体１６３が外側方へ突出する使用位置にある状態では、スライド投光体１６３に設けた照射面１０１・１０２に対応する発光源１１のみを点灯するようにした。こうした美容器具によれば、スライド投光体１６３をスライド操作することで自動的に発光源１１・１１の点灯状態が切り替えられるので、ユーザーの利便性を向上できる。また、スライド投光体１６３の使用位置においては、スライド投光体１６３に設けた照射面１０１・１０２は、投光ヘッド７に設けた照射面１０１・１０２より外側方へ突出しているので、投光ヘッド７が邪魔になることなく、処理部位にスライド投光体１６３に設けた照射面１０１・１０２だけを的確に密着させることができる。
【０１３０】
投光ヘッド７に、本体ケース１の中心軸線に対して傾斜する傾斜面１５７が形成され、該傾斜面１５７に、照射面１０１・１０２が隣接配置されており、
照射面１０１・１０２の近傍には、それぞれ肌面が接触したことを検知する人体センサ１３１が配置されており、
人体センサ１３１の検知結果に基づき、各発光源１１・１１が全点灯され、または、各照射面１０１・１０２に対応する発光源１１のみが点灯される光照射型の美容器具。
【０１３１】
本体ケース１の中心軸線に対して傾斜する投光ヘッド７の傾斜面１５７に、照射面１０１・１０２を隣接配置した。このように、傾斜面１５７に照射面１０１・１０２を隣接配置した美容器具によれば、本体ケース１および同ケース１を持つ手が邪魔になって、処理部位が目視し難くなるのを抑制できるので、肌面の処理部位に各照射面１０１・１０２を的確に密着させることができる。また、いずれの照射面１０１・１０２を肌面に密着させる場合でも、本体ケース１の姿勢が同じであるので、本体ケース１の姿勢を大きく変更する必要がない分、ユーザーによる美容器具の操作を簡便化できる。加えて、照射面１０１・１０２の近傍に、それぞれ肌面が接触したことを検知する人体センサ１３１を配置して、人体センサ１３１の検知結果に基づき、各発光源１１・１１を全点灯し、または、各照射面１０１・１０２に対応する発光源１１のみを点灯させるようにした。こうした美容器具によれば、肌面に密着していない照射面１０１・１０２の発光源１１・１１は点灯されることがなく、光によってユーザーが眩しさを感じ不快な思いをすることを回避できる。また、使用する照射面１０１・１０２を肌面に密着させるだけで、選択した照射面１０１・１０２の発光源１１・１１が点灯されるので、ユーザーによる美容器具の操作をより簡便化できる。
【０１３２】
投光ヘッド７の周面に配置された広域照射面１０１の内部に発光源１１が配置されており、
本体ケース１で変位可能に支持されて、広域照射面１０１の外面の一部を遮蔽ないし開放する遮蔽体１６７が設けられており、
遮蔽体１６７が広域照射面１０１の外面を遮蔽した状態において、遮蔽体１６７で遮蔽されていない広域照射面１０１が、広域照射面１０１よりも光の放射面積が小さな狭域照射面１０２として機能している光照射型の美容器具。
【０１３３】
投光ヘッド７の周面に配置された広域照射面１０１の内部に発光源１１を配置した。また、本体ケース１で変位可能に支持されて、広域照射面１０１の外面の一部を遮蔽ないし開放する遮蔽体１６７を設けて、遮蔽体１６７が広域照射面１０１の外面を遮蔽した状態において、遮蔽体１６７で遮蔽されていない広域照射面１０１を、広域照射面１０１よりも光の放射面積が小さな狭域照射面１０２として機能させるようにした。こうした美容器具によれば、１個の発光源１１で大きな放射面積と小さな放射面積に光を照射することができるので、２以上の発光源１１・１１を設ける場合に比べて、美容器具の構造を簡素化できる。また、遮蔽体１６７を変位させるだけの簡単な操作で、広域照射面１０１と狭域照射面１０２とを切り替えることができ、ユーザーの利便性を向上できる。
【０１３４】
投光ヘッド７の周面に広域照射面１０１が配置され、広域照射面１０１が配置された周面の反対側の周面に、広域照射面１０１よりも光の放射面積が小さな狭域照射面１０２が配置されており、
広域照射面１０１と狭域照射面１０２の内部に、それぞれ発光源１１・１１が配置され、各発光源１１・１１の間に、発光源１１に駆動電流を供給する制御基板４が配置されており、
各発光源１１・１１が、制御基板４から各発光源１１・１１へ向かって突設した光源ホルダー１１５で固定支持されている光照射型の美容器具。
【０１３５】
広域照射面１０１および狭域照射面１０２の内部の発光源１１・１１の間に配置した制御基板４に突設した光源ホルダー１１５で固定支持した。これによれば、発光源１１に駆動電力を供給する制御基板４を利用して、同基板４に突設した光源ホルダー１１５で発光源１１を固定支持できるので、投光ヘッド７や照射ケース１０などに発光源１１の支持構造を設ける場合に比べて、美容器具の構造を簡素化できる。
【０１３６】
光源ホルダー１１５が、導電性素材で形成されて発光源１１と制御基板４とを電気的に導通する導通体を兼ねている光照射型の美容器具。
【０１３７】
光源ホルダー１１５が発光源１１と制御基板４とを導通する導通体を兼ねていると、別途リード線などの導通体を設ける必要がない分、美容器具の構造をより簡素化できる。さらに、発光源１１を光源ホルダー１１５で固定支持するだけで、制御基板４と発光源１１との間の電気的導通を図ることができ、美容器具の組付けの手間を省略できる。
【０１３８】
本体ケース１の内部に、発光源１１・１１を冷却する送風ユニット１０６が配置されており、
送風ユニット１０６が送風ファン１０７およびファンモーター１０９を備えており、
送風ファン１０７およびファンモーター１０９は、制御基板４に形成された表裏貫通状の装着開口４ｂに装着されて、送風ファン１０７で送給される冷却風が、制御基板４の表裏面に沿って各発光源１１・１１に送給される光照射型の美容器具。
【０１３９】
送風ユニット１０６を構成する送風ファン１０７およびファンモーター１０９を、制御基板４に形成した表裏貫通状の装着開口４ｂに装着して、送風ファン１０７で送給される冷却風を、制御基板４の表裏面に沿って各発光源１１・１１に送給するようにした。これによれば、制御基板４を各発光源１１・１１に冷却風を案内する導風板として利用できるので、各発光源１１・１１に的確に冷却風を案内できる。また、別途導風板を設ける必要がないので美容器具の構造をさらに簡素化できる。さらに、送風ファン１０７、ファンモーター１０９などを本体ケース１の中央付近に配置することができるので、本体ケース１の中央から大きく偏寄した位置にこれら部品１０７・１０９を配置する場合に比べて、本体ケース１内に大きなデッドスペースが形成されるのを回避して、コンパクトな構造の本体ケース１とすることができる。
【０１４０】
本体ケース１の内部に、発光源１１・１１に駆動電流を供給するコンデンサー１４が配置されており、
制御基板４が本体ケース１の内部に、投光ヘッド７を含む本体ケース１の内部空間を２分する状態で配置されており、
コンデンサー１４が、制御基板４に形成された表裏貫通状の装着開口４ａに装着されて、制御基板４の表裏に露出されている光照射型の美容器具。
【０１４１】
本体ケース１の内部に、発光源１１・１１に駆動電流を供給するコンデンサー１４を配置した。また、制御基板４が本体ケース１の内部に、投光ヘッド７を含む本体ケース１の内部空間を２分する状態で配置した。そして、コンデンサー１４を、制御基板４に形成した表裏貫通状の装着開口４ａに装着して、制御基板４の表裏に露出させるようにした。これによれば、コンデンサー１４を本体ケース１内部の中央付近にバランスよく配置することができる。また、制御基板４およびコンデンサー１４が本体ケース１の中央に集約して配置されるので、本体ケース１をコンパクトに構成することができる。
【０１４２】
発光源１１が直線管状に形成されて、該発光源１１の中心軸線が送風ユニット１０６の送風方向と直交する向きに配置されており、
送風ユニット１０６と発光源１１・１１との間に、送風ユニット１０６から送給された冷却風を各発光源１１・１１の一側端へ向かって変向案内する変向構造１２１が設けられており、
各発光源１１・１１の一側端に達した冷却風を、各発光源１１・１１の他側端へ向かって流動させて、各発光源１１・１１を冷却している光照射型の美容器具。
【０１４３】
発光源１１を直線管状に形成して、該発光源１１の中心軸線を送風ユニット１０６の送風方向と直交する向きに配置した。また、送風ユニット１０６と発光源１１・１１との間に変向構造１２１を設けて、各発光源１１・１１の一側端に達した冷却風を、各発光源１１・１１の他側端へ向かって流動させて、各発光源１１・１１を冷却するようにした。このように冷却風を発光源１１の一側端から他側端へ向かって流動させると、発光源１１と冷却風との接触機会を多くして発光源１１の全体を効率よく冷却できる。
【０１４４】
広域照射面１０１および／または狭域照射面１０２の近傍に、肌面に向かって風を吹き出す送風口１２８が設けられており、
送風ユニット１０６で送給され各発光源１１・１１に至る前の冷却風の一部が、送風口１２８から吹き出される光照射型の美容器具。
【０１４５】
広域照射面１０１および／または狭域照射面１０２の近傍の送風口１２８から、送風ユニット１０６で送給され各発光源１１・１１に至る前の冷却風の一部を吹き出すと、光の照射によって温められた肌面を冷却して、むだ毛処理時の熱感を低減することができ、快適にむだ毛処理を行うことができる。また、別途肌面冷却専用の送風構造を設ける必要がない分、美容器具のコストアップを抑制できる。
【０１４６】
照射面１０１・１０２・１０３には、それぞれ肌面が接触したことを検知する人体センサ１３１が配置されており、
人体センサ１３１の検知結果に基づき、肌面が検知された照射面１０１・１０２・１０３から自動的に発光源１１で発光した光が放射されるように構成されており、
人体センサ１３１による肌面の検知後から発光源１１が点灯されるまでの間に、本体ケース１に設けた報知体１４０を駆動する光照射型の美容器具。
【０１４７】
照射面１０１・１０２・１０３にそれぞれ配置した人体センサ１３１の検知結果に基づき、肌面が検知された照射面１０１・１０２・１０３から自動的に発光源１１で発光した光が放射されるように構成した。こうした美容器具によれば、ユーザーはいずれかの照射面１０１・１０２・１０３を肌面に密着させるだけで、密着させた照射面１０１・１０２・１０３から自動的に光が放射されるので、美容器具の使い勝手を向上できる。加えて、人体センサ１３１による肌面の検知後から発光源１１が点灯されるまでの間に、本体ケース１に設けた報知体１４０を駆動すると、ユーザーは発光に備えて心の準備をし、あるいは発光領域から目をそらすなどの予防措置をとることができる。従って、ユーザーが突然の発光で驚かされたり、光によって眩しさを感じて不快な思いをするのを防止できる。
【０１４８】
グリップを兼ねる本体ケース１に、固定刃１４４と可動刃１４５を含むトリマーユニット１４３が設けられている光照射型の美容器具。
【０１４９】
グリップを兼ねる本体ケース１に、固定刃１４４と可動刃１４５を含むトリマーユニット１４３を設けると、１個の美容器具で投光部１５から照射される光によるむだ毛処理に加えて、トリマーユニット１４３でのむだ毛トリミングを行うことができる。従って、別途むだ毛トリミングを行うための器具を容易する必要がなく、また、器具を持ち替える手間もないので、むだ毛トリミングと光照射の一連のむだ毛処理を効率的に行うことができる。
【０１５０】
本体ケース１の一側に投光ヘッド７が配置され、他側にグリップ部８が配置されており、
グリップ部８の端部にトリマーユニット１４３が配置されている光照射型の美容器具。
【０１５１】
本体ケース１の一側に投光ヘッド７を配置し、他側にグリップ部８を配置して、グリップ部８の端部にトリマーユニット１４３を配置すると、光照射によるむだ毛処理とむだ毛トリミングとの美容器具の姿勢を明確に切り替えて、一方の処理動作に他方の投光ヘッド７またはトリマーユニット１４３が邪魔になることがなく、的確にそれぞれの処理動作を行うことができる。
【０１５２】
トリマーユニット１４３は、固定刃１４４および可動刃１４５が本体ケース１から突出する使用姿勢と、固定刃１４４および可動刃１４５が本体ケース１に設けた格納空間１８１に格納される格納姿勢とに姿勢変更可能に構成されている光照射型の美容器具。
【０１５３】
トリマーユニット１４３は、固定刃１４４および可動刃１４５が本体ケース１から突出する使用姿勢と、固定刃１４４および可動刃１４５が本体ケース１に設けた格納空間１８１に格納される格納姿勢とに姿勢変更可能に構成した。こうしたトリマーユニット１４３によれば、格納姿勢においては両刃１４４・１４５が格納空間１８１に格納されるので、誤って両刃１４４・１４５で肌面が傷つけられるのを解消して、安全性に優れた美容器具とすることができる。また、使用姿勢においては、両刃１４４・１４５が本体ケース１から突出するので、刃先を肌面にあてがう際、本体ケース１が邪魔になることなく的確にトリマーユニット１４３でむだ毛トリミングを行える。
【０１５４】
トリマーユニット１４３は、可動刃１４５を駆動するトリマーモーター１４６を備えており、
トリマーユニット１４３が使用姿勢に姿勢変更された状態において、トリマーモーター１４６に駆動電流が供給され、もしくは、トリマーユニット１４３が使用姿勢に姿勢変更され、かつ駆動スイッチ１８０を手動でオン操作したとき、トリマーモーター１４６に駆動電流が供給される光照射型の美容器具。
【０１５５】
トリマーユニット１４３を使用姿勢に姿勢変更した状態において、トリマーユニット１４３が備えるトリマーモーター１４６に駆動電流を供給し、もしくは、トリマーユニット１４３が使用姿勢に姿勢変更され、かつ駆動スイッチ１８０を手動でオン操作したとき、トリマーモーター１４６に駆動電流を供給するようにした。こうしたトリマーユニット１４３によれば、前者の場合には、トリマーユニット１４３を使用姿勢に姿勢変更するだけでトリマーモーター１４６が駆動され、また、格納姿勢に姿勢変更するだけでトリマーモーター１４６が停止されるので、ユーザーによる駆動スイッチ１８０のオンオフ操作を排除できる。後者の場合には、駆動スイッチ１８０のオンオフ操作で、トリマーユニット１４３を駆動または停止できるので、むだ毛トリミングと光照射によるむだ毛処理とを交互に行うような使用形態の場合に、トリマーモーター１４６で電力が無駄に消費されるのを回避できる。また、トリマーユニット１４３を使用姿勢に姿勢変更しない限り、トリマーユニット１４３が駆動されることがないので、誤って両刃１４４・１４５で肌面が傷つけられるのを解消して、より安全性に優れた美容器具とすることができる。
【０１５６】
トリマーユニット１４３が本体ケース１で併使用姿勢と、単独使用姿勢との間で姿勢変更可能に支持されており、
併使用姿勢におけるトリマーユニット１４３は、固定刃１４４および可動刃１４５の刃先が投光部１５の照射面１０１・１０２・１０３のいずれかひとつと隣接していて、照射面１０１・１０２・１０３のいずれかひとつによるむだ毛処理と、トリマーユニット１４３によるむだ毛トリミングを同時に行うことができ、
単独使用姿勢におけるトリマーユニット１４３は単独でむだ毛トリミングを行うことができる光照射型の美容器具。
【０１５７】
トリマーユニット１４３が本体ケース１で併使用姿勢と、単独使用姿勢との間で姿勢変更可能に支持した。併使用姿勢におけるトリマーユニット１４３は、照射面１０１・１０２・１０３のいずれかひとつによるむだ毛処理と、照射面１０１・１０２・１０３のいずれかひとつによるむだ毛処理と、トリマーユニット１４３によるむだ毛トリミングを同時に行うことができるようにした。また、単独使用姿勢におけるトリマーユニット１４３は、単独でむだ毛処理を行えるようにした。こうした美容器具によれば、トリマーユニット１４３が併使用姿勢の状態においては、美容器具の姿勢を変更することなくむだ毛トリミングと光照射によるむだ毛処理を行うことができるので、ユーザーの使い勝手を向上できる。また、単独使用姿勢のトリマーユニット１４３は、本体ケース１が邪魔になることなくむだ毛トリミングを行うことができる。
【符号の説明】
【０１５８】
１  本体ケース
４  制御基板
４ａ  装着開口
４ｂ  装着開口
７  投光ヘッド
８  グリップ部
１１  発光源
１４  コンデンサー
１５  投光部
１０１  照射面（広域照射面）
１０２  照射面（狭域照射面）
１０３  照射面（中域照射面）
１０６  送風ユニット
１０７  送風ファン（第１送風ファン）
１０９  ファンモーター
１１５  光源ホルダー
１３１  人体センサ
１４０  報知体
１４３  トリマーユニット
１４４  固定刃
１４５  可動刃
１４６  トリマーモーター
１５７  傾斜面
１６０  照射スイッチ
１６３  スライド投光体
１６７  遮蔽体
１８０  駆動スイッチ（トリマースイッチ）
１８１  格納空間
【図１】
2018201917.tif 000003
【図２】
2018201917.tif 000004
【図３】
2018201917.tif 000005
【図４】
2018201917.tif 000006
【図５】
2018201917.tif 000007
【図６】
2018201917.tif 000008
【図７】
2018201917.tif 000009
【図８】
2018201917.tif 000010
【図９】
2018201917.tif 000011
【図１０】
2018201917.tif 000012
【図１１】
2018201917.tif 000013
【図１２】
2018201917.tif 000014
【図１３】
2018201917.tif 000015
【図１４】
2018201917.tif 000016
【図１５】
2018201917.tif 000017
【図１６】
2018201917.tif 000018
【図１７】
2018201917.tif 000019
【図１８】
2018201917.tif 000020
【図１９】
2018201917.tif 000021
【図２０】
2018201917.tif 000022
【図２１】
2018201917.tif 000023
【図２２】
2018201917.tif 000024